(57)【特許請求の範囲】
【請求項１】
無線通信方法であって、
スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールすることと、
前記電力スケールした後に、前記スケールされた第１のシンボルと、前記スケールされた第２のシンボルとを、オーバラップおよび追加処理によって結合して、結合信号とすることと、
無線モバイル端末から送信される電力の調節値と、予め定めたしきい値との間の予め定めた関係に応じて、前記第１のスケーリング・ファクタおよび前記第２のスケーリング・ファクタのうちの少なくとも１つを調節することであって、前記調節値が前記予め定めたしきい値よりも大きくない場合、前記第２のスケーリング・ファクタを前記第１のスケーリング・ファクタに等しく設定し、前記調節値が前記予め定めたしきい値よりも大きい場合、前記第２のスケーリング・ファクタを、前記第１のスケーリング・ファクタとは異なる調節されたスケーリング・ファクタに設定することと、
前記第１のシンボルに対応する処理された第１のシンボルと、前記第２のシンボルに対応する処理された第２のシンボルとを有する処理された波形を取得するために、前記結合信号を処理することと、
前記処理された波形を送信することと
からなる各ステップを備える無線通信方法。
【請求項２】
前記処理するステップは、前記結合信号を電力増幅することを備える請求項１に記載の無線通信方法。
【請求項３】
前記処理は、前記無線モバイル端末で実行され、前記第２のシンボルは、時間において、前記第１のシンボルの後であり、前記処理された第１のシンボルと前記処理された第２のシンボルとの間では、前記無線モバイル端末によって、他のシンボルは送信されず、前記第１のスケーリング・ファクタと前記第２のスケーリング・ファクタとのうちの少なくとも１つは、前記第２のスケーリング・ファクタであり、
前記方法はさらに、前記調節値を指定する電力制御コマンドをネットワークから受信することを備える請求項２に記載の無線通信方法。
【請求項４】
前記調節値を、予め定めたしきい値と比較することをさらに備え、
前記予め定めた関係は、大きい、未満、以上、および以下からなるセットから選択される請求項３に記載の無線通信方法。
【請求項５】
前記ネットワークおよび前記無線モバイル端末は、周波数分割デュプレクス（ＦＤＤ）通信プロトコルを用いて通信する請求項４に記載の無線通信方法。
【請求項６】
前記ネットワークおよび前記無線モバイル端末は、直交周波数分割多重化（ＯＦＤＭ）、直交周波数分割多元接続（ＯＦＤＭＡ）、シングル・キャリア周波数分割多重化（ＳＣ−ＦＤＭ）、あるいはシングル・キャリア周波数分割多元接続（ＳＣ−ＦＤＭＡ）通信プロトコルを用いて通信する請求項４に記載の無線通信方法。
【請求項７】
前記処理は、無線モバイル端末において実行され、前記第２のシンボルは、時間において、前記第１のシンボルの後であり、前記処理された第１のシンボルと前記処理された第２のシンボルとの間では、前記無線モバイル端末によって、他のシンボルは送信されず、前記第１のスケーリング・ファクタと前記第２のスケーリング・ファクタとのうちの少なくとも１つは、前記第２のスケーリング・ファクタであり、
前記方法はさらに、前記調節値を決定するために、ネットワークから送信されたパイロット信号を分析することを備える請求項２に記載の無線通信方法。
【請求項８】
前記調節値を、予め定めたしきい値と比較することをさらに備え、
前記予め定めた関係は、大きい、未満、以上、および以下からなるセットから選択される請求項７に記載の無線通信方法。
【請求項９】
前記ネットワークおよび前記無線モバイル端末は、周波数分割デュプレクス（ＦＤＤ）通信プロトコルを用いて通信する請求項８に記載の無線通信方法。
【請求項１０】
前記第１のシンボルは第１のフレームの一部であり、前記第２のシンボルは第２のフレームの一部であり、前記第２のフレームは前記第１のフレームとは異なる請求項２に記載の無線通信方法。
【請求項１１】
無線通信方法であって、
電力レベル調節値を、しきい値と比較することと、
スケールされた第１のシンボルを取得するために、第１のスケーリング・ファクタまで第１のシンボルを電力スケールすることと、
前記電力レベル調節値が前記しきい値よりも大きくない場合、第２のスケーリング・ファクタを前記第１のスケーリング・ファクタに等しく設定し、前記電力レベル調節値が前記しきい値よりも大きい場合、前記第２のスケーリング・ファクタを、前記第１のスケーリング・ファクタとは異なる調節されたスケーリング・ファクタに設定することと、
スケールされた第２のシンボルを取得するために、前記第２のスケーリング・ファクタまで第２のシンボルを電力スケールすることと、
前記第１のシンボルと前記第２のシンボルとの電力スケールがなされた後に、前記スケールされた第１のシンボルおよび前記スケールされた第２のシンボルを、オーバラップおよび追加処理によって結合して、結合信号とすることと、
前記結合信号を、アナログ波形に変換することと、
電力増幅器の利得を、第１の電力増幅値に設定し、前記アナログ波形の増幅された第１の部分を取得するために、前記利得が第１の電力増幅値に設定された場合、前記スケールされた第１のシンボルに対応する前記アナログ波形の一部を、前記電力増幅器を用いて増幅することと、
前記電力増幅器の利得を、第２の電力増幅値に設定し、前記アナログ波形の増幅された第２の部分を取得するために、前記利得が第２の電力増幅値に設定された場合、前記スケールされた第２のシンボルに対応する前記アナログ波形の一部を、前記電力増幅器を用いて増幅することと、
前記増幅された第１の部分および第２の部分を送信することと
からなる各ステップを備え、
前記送信するステップによって、前記増幅された第１の部分が、第１の電力レベルで送信され、前記増幅された第２の部分が、第２の電力レベルで送信されるようになり、
前記第１のスケーリング・ファクタと、前記調節されたスケーリング・ファクタと、前記第１および前記第２の電力増幅値は、前記第１の電力レベルから前記第２の電力レベルへの変化が、前記電力レベル調節値に相当するように選択され、
前記第１の電力増幅値と前記第２の電力増幅値との差が、予め定めた電力増幅差分値を超えない無線通信方法。
【請求項１２】
前記予め定めた電力増幅差分値は、前記しきい値に相当する請求項１１に記載の無線通信方法。
【請求項１３】
前記処理は無線モバイル端末において実行され、前記送信するステップは、前記増幅された第２の部分が前記増幅された第１の部分の後に送信され、前記増幅された第１の部分と前記増幅された第２の部分との間で他のシンボルの一部も送信されないように実行される請求項１２に記載の無線通信方法。
【請求項１４】
前記無線モバイル端末およびネットワークは、周波数分割デュプレクス（ＦＤＤ）通信プロトコルを用いて通信する請求項１３に記載の無線通信方法。
【請求項１５】
前記無線モバイル端末およびネットワークは、直交周波数分割多重化（ＯＦＤＭ）、直交周波数分割多元接続（ＯＦＤＭＡ）、シングル・キャリア周波数分割多重化（ＳＣ−ＦＤＭ）、あるいはシングル・キャリア周波数分割多元接続（ＳＣ−ＦＤＭＡ）通信プロトコルを用いて通信する請求項１４に記載の無線通信方法。
【請求項１６】
前記第１のシンボルは第１のフレームの一部であり、前記第２のシンボルは第２のフレームの一部であり、前記第２のフレームは前記第１のフレームとは異なる請求項１５に記載の無線通信方法。
【請求項１７】
前記ネットワークから受信したコマンドから、前記電力レベル調節値を導出することをさらに備える請求項１５に記載の無線通信方法。
【請求項１８】
前記比較するステップの前に、前記電力レベル調節値を決定するために、前記ネットワークから送信されたパイロット信号を分析することをさらに備える請求項１５に記載の無線通信方法。
【請求項１９】
無線デバイスであって、
少なくとも１つの受信機と、
少なくとも１つの送信機と、
前記少なくとも１つの受信機と前記少なくとも１つの送信機とに接続された少なくとも１つのコントローラとを備え、
前記少なくとも１つのコントローラは、
スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールすることと、
前記電力スケールした後に、前記スケールされた第１のシンボルと、前記スケールされた第２のシンボルとを、オーバラップおよび追加処理によって結合して、結合信号とすることと、
無線モバイル端末から送信される電力の調節値と、予め定めたしきい値との間の予め定めた関係に応じて、前記第１のスケーリング・ファクタおよび前記第２のスケーリング・ファクタのうちの少なくとも１つを調節することであって、前記調節値が前記予め定めたしきい値よりも大きくない場合、前記第２のスケーリング・ファクタを前記第１のスケーリング・ファクタに等しく設定し、前記調節値が前記予め定めたしきい値よりも大きい場合、前記第２のスケーリング・ファクタを、前記第１のスケーリング・ファクタとは異なる調節されたスケーリング・ファクタに設定することと、
前記第１のシンボルに対応する処理された第１のシンボルと、前記第２のシンボルに対応する処理された第２のシンボルとを有する処理された波形を取得するために、前記結合信号を処理することと、
前記処理された波形を送信することと、
からなる各ステップを実行するように構成された無線デバイス。
【請求項２０】
前記少なくとも１つのコントローラはさらに、前記処理するステップが、前記結合信号を電力増幅することを備えるように構成された請求項１９に記載の無線デバイス。
【請求項２１】
前記少なくとも１つのコントローラはさらに、前記第２のシンボルは、時間において、前記第１のシンボルの後であり、前記処理された第１のシンボルと前記処理された第２のシンボルとの間では、前記無線デバイスによって、他のシンボルは送信されず、前記第１のスケーリング・ファクタと前記第２のスケーリング・ファクタとのうちの少なくとも１つは、前記第２のスケーリング・ファクタであるように構成され、
前記無線デバイスはさらに、前記調節値を指定する電力制御コマンドをネットワークから受信することを備える請求項２０に記載の無線デバイス。
【請求項２２】
前記調節値を、予め定めたしきい値と比較するステップをさらに備え、
前記予め定めた関係は、大きい、未満、以上、および以下からなるセットから選択される請求項２１に記載の無線デバイス。
【請求項２３】
前記少なくとも１つのコントローラは、周波数分割デュプレクス（ＦＤＤ）通信プロトコルを用いて前記ネットワークと通信するように構成された請求項２２に記載の無線デバイス。
【請求項２４】
前記少なくとも１つのコントローラは、直交周波数分割多重化（ＯＦＤＭ）、直交周波数分割多元接続（ＯＦＤＭＡ）、シングル・キャリア周波数分割多重化（ＳＣ−ＦＤＭ）、あるいはシングル・キャリア周波数分割多元接続（ＳＣ−ＦＤＭＡ）通信プロトコルを用いて通信するように構成された請求項２２に記載の無線デバイス。
【請求項２５】
前記少なくとも１つのコントローラはさらに、前記第２のシンボルは、時間において、前記第１のシンボルの後であり、前記処理された第１のシンボルと前記処理された第２のシンボルとの間では、前記無線デバイスによって、他のシンボルは送信されず、前記第１のスケーリング・ファクタと前記第２のスケーリング・ファクタとのうちの少なくとも１つは、前記第２のスケーリング・ファクタであるように構成され、
前記無線デバイスはさらに、前記調節値を決定するために、ネットワークから送信されたパイロット信号を分析することを備える請求項２０に記載の無線デバイス。
【請求項２６】
前記調節値を、予め定めたしきい値と比較するステップをさらに備え、
前記予め定めた関係は、大きい、未満、以上、および以下からなるセットから選択されるように構成された請求項２５に記載の無線デバイス。
【請求項２７】
前記少なくとも１つのコントローラは、周波数分割デュプレクス（ＦＤＤ）通信プロトコルを用いて前記ネットワークと通信するように構成された請求項２６に記載の無線デバイス。
【請求項２８】
前記少なくとも１つのコントローラはさらに、前記第１のシンボルは第１のフレームの一部であり、前記第２のシンボルは第２のフレームの一部であり、前記第２のフレームは前記第１のフレームとは異なるように構成された請求項２０に記載の無線デバイス。
【請求項２９】
無線デバイスであって、
少なくとも１つの受信機と、
少なくとも１つの送信機と、
前記少なくとも１つの受信機と前記少なくとも１つの送信機とに接続された少なくとも１つのコントローラとを備え、
前記少なくとも１つのコントローラは、
電力レベル調節値を、しきい値と比較することと、
スケールされた第１のシンボルを取得するために、第１のスケーリング・ファクタまで第１のシンボルを電力スケールすることと、
前記電力レベル調節値が前記しきい値よりも大きくない場合、第２のスケーリング・ファクタを前記第１のスケーリング・ファクタに等しく設定し、前記電力レベル調節値が前記しきい値よりも大きい場合、前記第２のスケーリング・ファクタを、前記第１のスケーリング・ファクタとは異なる調節されたスケーリング・ファクタに設定することと、
スケールされた第２のシンボルを取得するために、前記第２のスケーリング・ファクタまで第２のシンボルを電力スケールすることと、
前記第１のシンボルと前記第２のシンボルとの電力スケールがなされた後に、前記スケールされた第１のシンボルおよび前記スケールされた第２のシンボルを、オーバラップおよび追加処理によって結合して、結合信号とすることと、
前記結合信号を、アナログ波形に変換することと、
電力増幅器の利得を、第１の電力増幅値に設定し、前記アナログ波形の増幅された第１の部分を取得するために、前記利得が第１の電力増幅値に設定された場合、前記スケールされた第１のシンボルに対応する前記アナログ波形の一部を、前記電力増幅器を用いて増幅することと、
前記電力増幅器の利得を、第２の電力増幅値に設定し、前記アナログ波形の増幅された第２の部分を取得するために、前記利得が第２の電力増幅値に設定された場合、前記スケールされた第２のシンボルに対応する前記アナログ波形の一部を、前記電力増幅器を用いて増幅することと、
前記増幅された第１の部分および第２の部分を送信することと、
からなる各ステップを実行するように構成され、
前記送信するステップによって、前記増幅された第１の部分が、第１の電力レベルで送信され、前記増幅された第２の部分が、第２の電力レベルで送信されるようになり、
前記第１のスケーリング・ファクタと、前記調節されたスケーリング・ファクタと、前記第１および前記第２の電力増幅値は、前記第１の電力レベルから前記第２の電力レベルへの変化が、前記電力レベル調節値に相当するように選択され、
前記第１の電力増幅値と前記第２の電力増幅値との差が、予め定めた電力増幅差分値を超えない無線デバイス。
【請求項３０】
前記少なくとも１つのコントローラはさらに、前記予め定めた電力増幅差分値が、前記しきい値に相当するように構成された請求項２９に記載の無線デバイス。
【請求項３１】
前記送信するステップは、前記増幅された第２の部分が前記増幅された第１の部分の後に送信され、前記増幅された第１の部分と前記増幅された第２の部分との間で他のシンボルの一部も送信されないように実行される請求項３０に記載の無線デバイス。
【請求項３２】
前記少なくとも１つのコントローラは、周波数分割デュプレクス（ＦＤＤ）通信プロトコルを用いて前記ネットワークと通信するように構成された請求項３１に記載の無線デバイス。
【請求項３３】
前記少なくとも１つのコントローラは、直交周波数分割多重化（ＯＦＤＭ）、直交周波数分割多元接続（ＯＦＤＭＡ）、シングル・キャリア周波数分割多重化（ＳＣ−ＦＤＭ）、あるいはシングル・キャリア周波数分割多元接続（ＳＣ−ＦＤＭＡ）通信プロトコルを用いて前記ネットワークと通信するように構成された請求項３２に記載の無線デバイス。
【請求項３４】
前記少なくとも１つのコントローラはさらに、前記第１のシンボルが第１のフレームの一部であり、前記第２のシンボルが第２のフレームの一部であり、前記第２のフレームが前記第１のフレームとは異なるように構成された請求項３３に記載の無線デバイス。
【請求項３５】
前記ネットワークから受信したコマンドから、前記電力レベル調節値を導出するステップをさらに備える請求項３３に記載の無線デバイス。
【請求項３６】
前記比較するステップの前に、前記電力レベル調節値を決定するために、前記ネットワークから送信されたパイロット信号を分析するステップをさらに備える請求項３３に記載の無線デバイス。
【請求項３７】
コンピュータ読取可能媒体を備えるコンピュータ・プログラムであって、
前記コンピュータ読取可能媒体は、コンピュータに対して無線通信させるためのコードを備え、前記コードは、
スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールすることと、
前記電力スケールした後に、前記スケールされた第１のシンボルと、前記スケールされた第２のシンボルとを、オーバラップおよび追加処理によって結合して、結合信号とすることと、
無線モバイル端末から送信される電力の調節値と、予め定めたしきい値との間の予め定めた関係に応じて、前記第１のスケーリング・ファクタおよび前記第２のスケーリング・ファクタのうちの少なくとも１つを調節することであって、前記調節値が前記予め定めたしきい値よりも大きくない場合、前記第２のスケーリング・ファクタを前記第１のスケーリング・ファクタに等しく設定し、前記調節値が前記予め定めたしきい値よりも大きい場合、前記第２のスケーリング・ファクタを、前記第１のスケーリング・ファクタとは異なる調節されたスケーリング・ファクタに設定することと、
前記第１のシンボルに対応する処理された第１のシンボルと、前記第２のシンボルに対応する処理された第２のシンボルとを有する処理された波形を取得するために、前記結合信号を処理することと、
処理された波形を送信することと
を備えるコンピュータ・プログラム。
【請求項３８】
コンピュータ読取可能媒体を備えるコンピュータ・プログラムであって、
前記コンピュータ読取可能媒体は、コンピュータに対して無線通信させるためのコードを備え、前記コードは、
電力レベル調節値を、しきい値と比較することと、
スケールされた第１のシンボルを取得するために、第１のスケーリング・ファクタまで第１のシンボルを電力スケールすることと、
前記電力レベル調節値が前記しきい値よりも大きくない場合、第２のスケーリング・ファクタを前記第１のスケーリング・ファクタに等しく設定し、前記電力レベル調節値が前記しきい値よりも大きい場合、前記第２のスケーリング・ファクタを、前記第１のスケーリング・ファクタとは異なる調節されたスケーリング・ファクタに設定することと、
スケールされた第２のシンボルを取得するために、前記第２のスケーリング・ファクタまで第２のシンボルを電力スケールすることと、
前記第１のシンボルと前記第２のシンボルとの電力スケールがなされた後に、前記スケールされた第１のシンボルおよび前記スケールされた第２のシンボルを、オーバラップおよび追加処理によって結合して、結合信号とすることと、
前記結合信号を、アナログ波形に変換することと、
電力増幅器の利得を、第１の電力増幅値に設定し、前記アナログ波形の増幅された第１の部分を取得するために、前記利得が第１の電力増幅値に設定された場合、前記スケールされた第１のシンボルに対応する前記アナログ波形の一部を、前記電力増幅器を用いて増幅することと、
前記電力増幅器の利得を、第２の電力増幅値に設定し、前記アナログ波形の増幅された第２の部分を取得するために、前記利得が第２の電力増幅値に設定された場合、前記スケールされた第２のシンボルに対応する前記アナログ波形の一部を、前記電力増幅器を用いて増幅することと、
前記増幅された第１の部分および第２の部分を送信することとを備え、
前記送信するステップによって、前記増幅された第１の部分が、第１の電力レベルで送信され、前記増幅された第２の部分が、第２の電力レベルで送信されるようになり、
前記第１のスケーリング・ファクタと、前記調節されたスケーリング・ファクタと、前記第１および前記第２の電力増幅値は、前記第１の電力レベルから前記第２の電力レベルへの変化が、前記電力レベル調節値に相当するように選択され、
前記第１の電力増幅値と前記第２の電力増幅値との差が、予め定めた電力増幅差分値を超えないコンピュータ・プログラム。
【請求項３９】
無線デバイスであって、
スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールする手段と、
前記電力スケールした後に、前記スケールされた第１のシンボルと、前記スケールされた第２のシンボルとを、オーバラップおよび追加処理によって結合して、結合信号とする手段と、
無線モバイル端末から送信される電力の調節値と、予め定めたしきい値との間の予め定めた関係に応じて、前記第１のスケーリング・ファクタおよび前記第２のスケーリング・ファクタのうちの少なくとも１つを調節する手段であって、前記調節値が前記予め定めたしきい値よりも大きくない場合、前記第２のスケーリング・ファクタを前記第１のスケーリング・ファクタに等しく設定し、前記調節値が前記予め定めたしきい値よりも大きい場合、前記第２のスケーリング・ファクタを、前記第１のスケーリング・ファクタとは異なる調節されたスケーリング・ファクタに設定する手段と、
前記第１のシンボルに対応する処理された第１のシンボルと、前記第２のシンボルに対応する処理された第２のシンボルとを有する処理された波形を取得するために、前記結合信号を処理する手段と、
前記処理された波形を送信する手段と
を備える無線デバイス。
【請求項４０】
無線デバイスであって、
電力レベル調節値を、しきい値と比較する手段と、
スケールされた第１のシンボルを取得するために、第１のスケーリング・ファクタまで第１のシンボルを電力スケールする手段と、
前記電力レベル調節値が前記しきい値よりも大きくない場合、第２のスケーリング・ファクタを前記第１のスケーリング・ファクタに設定し、前記電力レベル調節値が前記しきい値よりも大きい場合、前記第２のスケーリング・ファクタを、前記第１のスケーリング・ファクタとは異なる調節されたスケーリング・ファクタに設定する手段と、
スケールされた第２のシンボルを取得するために、前記第２のスケーリング・ファクタまで第２のシンボルを電力スケールする手段と、
前記第１のシンボルと前記第２のシンボルとの電力スケールがなされた後に、前記スケールされた第１のシンボルおよび前記スケールされた第２のシンボルを、オーバラップおよび追加処理によって結合して、結合信号とする手段と、
前記結合信号を、アナログ波形に変換する手段と、
電力増幅器の利得を、第１の電力増幅値に設定し、前記アナログ波形の増幅された第１の部分を取得するために、前記利得が第１の電力増幅値に設定された場合、前記スケールされた第１のシンボルに対応する前記アナログ波形の一部を、前記電力増幅器を用いて増幅する手段と、
前記電力増幅器の利得を、第２の電力増幅値に設定し、前記アナログ波形の増幅された第２の部分を取得するために、前記利得が第２の電力増幅値に設定された場合、前記スケールされた第２のシンボルに対応する前記アナログ波形の一部を、前記電力増幅器を用いて増幅する手段と、
前記増幅された第１の部分および第２の部分を送信する手段とを備え、
前記送信するステップによって、前記増幅された第１の部分が、第１の電力レベルで送信され、前記増幅された第２の部分が、第２の電力レベルで送信されるようになり、
前記第１のスケーリング・ファクタと、前記調節されたスケーリング・ファクタと、前記第１および前記第２の電力増幅値は、前記第１の電力レベルから前記第２の電力レベルへの変化が、前記電力レベル調節値に相当するように選択され、
前記第１の電力増幅値と前記第２の電力増幅値との差が、予め定めた電力増幅差分値を超えない無線デバイス。
【発明の詳細な説明】
【優先権主張】
【０００１】
本願は、“ＡＤＡＰＴＩＶＥ  ＰＯＷＥＲ  ＣＯＮＴＲＯＬ  ＦＯＲ  ＡＮ  ＯＦＤＭＡ  ＦＤＤ  ＳＹＳＴＥＭ”と題され、２００８年３月２８日に出願され、本願の譲受人に譲渡され、本明細書において参照によって明確に組み込まれている米国仮出願６１／０４０，５６６号の優先権を主張する。
【技術分野】
【０００２】
本発明は、一般に、通信に関する。さらに詳しくは、本発明は、態様において、無線通信システムにおける適応性のある電力制御に関する。
【背景技術】
【０００３】
最近の無線通信システムは、例えば、音声アプリケーションやデータ・アプリケーション等のようなさまざまなタイプの通信アプリケーションを提供するために広く開発された。これらシステムは、（例えば、帯域幅、送信電力等のような）利用可能なシステム・リソースを共有することにより、複数のユーザとの通信をサポートすることができる多元接続システムでありうる。多元接続システムの例は、符号分割多元接続（ＣＤＭＡ）システム、時分割多元接続（ＴＤＭＡ）システム、周波数分割多元接続（ＦＤＭＡ）システム、時分割デュプレクス（ＴＤＤ）システム、周波数分割デュプレクス（ＦＤＤ）システム、第３世代パートナシップ計画ロング・ターム・イボリューション（３ＧＰＰ  ＬＴＥ）システム、および直交周波数分割多元接続（ＯＦＤＭＡ）システムを含む。さらにポイント・ツー・ポイント・システム、ピア・ツー・ビア・システム、および無線ローカル・エリア・ネットワーク（無線ＬＡＮ）がある。
【０００４】
一般に、無線多元接続通信システムは、複数の無線端末との通信を同時にサポートすることができる。端末はおのおのの、順方向リンクおよび逆方向リンクにおける送信によって、１または複数の基地トランシーバ局（ＢＴＳまたは基地局）と通信する。順方向リンクすなわちダウンリンクは、基地局から端末への通信リンクを称し、逆方向リンクすなわちアップリンクは、端末から基地トランシーバ局への通信リンクを称する。順方向通信リンクと逆方向通信リンクの両方が、特定のリンクのために使用される送信アンテナおよび受信アンテナの数に依存して、単一入力単一出力、複数入力単一出力、単一入力複数出力、あるいは複数入力複数出力（ＭＩＭＯ）といった通信技術によって確立される。
【０００５】
ＭＩＭＯシステムは、それらの比較的高いデータ・レート、比較的長い有効通信範囲領域、および、比較的信頼できる送信によって、特に興味がもたれている。ＭＩＭＯシステムは、データ伝送のために、複数（ＮＴ個）の送信アンテナと、複数（ＮＲ個）の受信アンテナとを用いる。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯ技術はＴＤＤシステムとＦＤＤシステムとの両方をサポートすることができる。ＴＤＤシステムでは、相互原理によって、逆方向リンク・チャネルから順方向リンク・チャネルを推定できるように、あるいはその逆をできるように、順方向リンク送信および逆方向リンク送信が、同じ周波数領域にある。ＦＤＤシステムでは、順方向リンク送信および逆方向インク送信のために、異なる周波数帯域が使用される。これによって、順方向リンク・チャネルからの逆方向リンク・チャネルの推定は一般に、信頼性が低くなる。
【０００７】
多くの無線通信システム、特に多元接続無線通信システムにおいて、オーバ・ザ・エア電力制御は、重要な設計態様である。１つのアクセス端末からの送信は、他の端末に対する干渉になるので、送信電力を、信頼性の高いリンク通信のための十分な、高すぎない値に保つことが望ましい。同時に、アクセス端末は一般にバッテリによって駆動されるので、バッテリ寿命が、重要なパフォーマンス特性となる。この理由によっても、送信電力および関連するバッテリ電力消費量を、信頼性の高い通信のために必要なものよりもさほど高くないレベルに保つことが望ましい。この目的は、しばしば、適応性のある電力制御によって達成される。適応性のある電力制御は、例えば、オープン・ループでありうる。ここでは、無線接続端末は、パイロット信号から取得した順方向リンク・チャネルの推定値から、逆方向リンク・チャネルを推定する。例えば、適応性のある電力制御は、また、クローズド・ループでもありうる。ここでは、アクセス端末は、ラジオ・ネットワークの基地トランシーバ局から、電力制御コマンドを受信する。ＣＤＭＡシステムにおける典型的な電力制御方法は、米国特許第５，０５６，１０９号および米国特許出願第２００５／０１９７１５０号に記載されている。直前の文に示す両特許文献は、本発明の譲受人に譲渡されており、あたかも図面、特許請求の範囲、および（もしあれば）表を含む完全なセットとして、本明細書において参照によって組み込まれている。
【０００８】
アクセス端末は一般に移動式であるので、それらの動作環境は、さまざまな要因において絶えず変化している。したがって、雑音、干渉、減衰、歪み、フェージング、およびその他の物理的なチャネル特性が、急激に変化し、時として、送信電力の急な調節が必要となる。比較的短い間隔において、不連続に動作するシステムの場合、電力調節は、送信の切れ目の間になされる。あるＴＤＭＡシステムでは、例えば、アクセス端末は、受信しているけれども送信していない時間中に、ある送信電力レベルから、別の送信電力レベルへ移行することができる。例えばＦＤＤシステムやＯＦＤＭＡシステムのような他のシステムでは、電力調節は、連続送信中に行われる。これらのシステムは、インタオペラビリティ・フォー・マイクロウェーブ・アクセス（ＷｉＭＡＸ）システム、ＬＴＥシステム、ウルトラ・モバイル・ブロードバンド（ＵＭＢ）システム、およびＩＥＥＥ  ８０２．２０規格システムを含む。
【０００９】
一般に、比較的わずかな電力調節では、過度のスペクトル拡散および関連する帯域幅利用非効率をもたらさない。しかしながら、比較的大きな電力調節は、過度のスペクトル拡散および同伴する帯域幅利用非効率をもたらしうる。
【００１０】
当該技術では、電力制御設定における大規模な電力変動によってもたらされるスペクトル拡散を低減する装置、方法、および製造物品に対するニーズが存在する。
【発明の概要】
【００１１】
本明細書に開示された実施形態は、無線デバイスの送信電力レベルを調節するために、オーバラップおよび追加処理を実行する前に、シンボル／フレームを選択的にスケールする装置、方法、および製造物品を提供することによって上述したニーズのうちの１または複数に取り組む。
【００１２】
実施形態では、無線通信方法は、多くのステップを有する。これらステップは、スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールすることを含む。これらステップはまた、スケールされた第１のシンボルと、スケールされた第２のシンボルとを、オーバラップおよび追加処理によって結合して、結合信号とすることを含みうる。この結合するステップは、電力スケールするステップ後に実行される。これらステップまた、（例えば、ネットワークから電力制御コマンドを受信することや、電力調節が必要であるとローカルに判定することのような）少なくとも１つの電力制御イベントに応じて、第１のスケーリング・ファクタおよび第２のスケーリング・ファクタのうちの少なくとも１つを調節することを含む。これらステップはさらに、第１のシンボルに対応する処理された第１のシンボルと、第２のシンボルに対応する処理された第２のシンボルとを有する処理された波形を取得するために、結合信号を処理することを含む。処理された波形は、その後送信される。
【００１３】
実施形態では、無線通信方法は、多くのステップを有する。ステップは、電力レベル調節値を、しきい値と比較することを含んでいる。ステップはまた、スケールされた第１のシンボルを取得するために、第１のスケーリング・ファクタまで第１のシンボルを電力スケールすることを含む。ステップはさらに、電力レベル調節値がしきい値よりも大きくない場合には、第１のスケーリング・ファクタに等しい第２のスケーリング・ファクタを設定することと、電力レベル調節値がしきい値よりも大きい場合には、調節されたスケーリング・ファクタに等しい第２のスケーリング・ファクタを設定することとを含む。ここで、調節されたスケーリング・ファクタは、第１のスケーリング・ファクタとは異なる。ステップはさらに、スケールされた第２のシンボルを取得するために、第２のスケーリング・ファクタまで第２のシンボルを電力スケールすることを含む。ステップはさらに、スケールされた第１のシンボルおよびスケールされた第２のシンボルを、オーバラップおよび追加処理によって結合して、結合信号とすることを含みうる。ここで、この結合する手段は、第１のシンボルおよび第２のシンボルの電力スケール後に、スケールされた第１のシンボルと、スケールされた第２のシンボルとに対して動作する。ステップはさらに、結合信号を、アナログ波形に変換することを含む。ステップはさらに、電力増幅器の利得を、第１の電力増幅値に設定することと、アナログ波形の増幅された第１の部分を取得するために、利得が第１の電力増幅値に設定された場合、スケールされた第１のシンボルに対応するアナログ波形の一部を、電力増幅器を用いて増幅することとを含む。ステップはさらに、電力増幅器の利得を、第２の電力増幅値に設定することと、アナログ波形の増幅された第２の部分を取得するために、利得が、第２の電力増幅値に設定された場合、スケールされた第２のシンボルに対応するアナログ波形の一部を、電力増幅器を用いて増幅することとを含む。ステップはさらに、増幅された第１および第２の部分を送信することを含む。ここで、この送信するステップによって、増幅された第１の部分が、第１の電力レベルで送信され、増幅された第２の部分が、第２の電力レベルで送信されるようになる。この方法では、第１のスケーリング・ファクタと、調節されたスケーリング・ファクタと、第１および第２の電力増幅値とが選択され、第１の電力レベルから第２の電力レベルへの変更が、電力レベル調節値に相当し、第１の電力増幅値と第２の電力増幅値との差が、予め定めた電力増幅差分値を超えないようになる。
【００１４】
実施形態では、無線デバイスは、少なくとも１つの受信機と、少なくとも１つの送信機と、少なくとも１つの送信機と少なくとも１つの受信機に接続された少なくとも１つのコントローラとを有する。少なくとも１つのコントローラは、多くのステップを実行するように構成される。ステップは、スケールされた第１のシンボルを取得するために、第１のシンボルを、第１のスケーリング・ファクタで、および、スケールされた第２のシンボルを取得するために、第２のシンボルを、第２のスケーリング・ファクタで、電力スケールすることを含む。ステップはさらに、スケールされた第１のシンボルおよびスケールされた第２のシンボルを、オーバラップおよび追加処理によって、第１の結合信号とすることを含む。ここで、この結合するステップは、電力スケールするステップ後に実行される。ステップはまた、少なくとも１つの電力制御イベントに応じて、第１のスケーリング・ファクタと第２のスケーリング・ファクタとのうちの少なくとも１つを調節することを含む。ステップはさらに、第１のシンボルに対応する処理された第１のシンボルと、第２のシンボルに対応する処理された第２のシンボルとを備える処理された波形を取得するために、結合信号を処理することと、処理された波形を送信することとを含む。
【００１５】
実施形態では、無線デバイスは、少なくとも１つの受信機と、少なくとも１つの送信機と、少なくとも１つの送信機と少なくとも１つの受信機に接続された少なくとも１つのコントローラとを有する。少なくとも１つのコントローラが、多くのステップを実行するように構成される。ステップは、電力レベル調節値を、しきい値と比較することを含んでいる。ステップまた、スケールされた第１のシンボルを取得するために、第１のスケーリング・ファクタまで第１のシンボルを電力スケールすることを含む。ステップはさらに、電力レベル調節値がしきい値よりも大きくない場合には、第１のスケーリング・ファクタに等しい第２のスケーリング・ファクタを設定することと、電力レベル調節値がしきい値よりも大きな場合、第２のスケーリング・ファクタを、調節されたスケーリング・ファクタに設定することとを含み、ここで、調節されたスケーリング・ファクタは、第１のスケーリング・ファクタとは異なる。ステップはさらに、スケールされた第２のシンボルを取得するために、第２のスケーリング・ファクタまで第２のシンボルを電力スケールすることを含む。ステップはさらに、スケールされた第１のシンボルおよびスケールされた第２のシンボルを、オーバラップおよび追加処理によって結合して、結合信号とすることを含みうる。ここで、この結合する手段は、第１のシンボルおよび第２のシンボルの電力スケール後に、スケールされた第１のシンボルと、スケールされた第２のシンボルとに対して動作する。ステップはさらに、結合信号を、アナログ波形に変換することを含む。ステップはさらに、第１の電力増幅器の利得を、第１の電力増幅値に設定することと、アナログ波形の増幅された第１の部分を取得するために、利得が、第１の電力増幅値に設定されている場合、スケールされた第１のシンボルに対応するアナログ波形の一部を、電力増幅器を用いて増幅することとを含む。ステップはさらに、電力増幅器の利得を、第２の電力増幅値に設定することと、アナログ波形の増幅された第２の部分を取得するために、利得が、第２の電力増幅値に設定されている場合、スケールされた第２のシンボルに対応するアナログ波形の一部を、電力増幅器を用いて増幅することとを含む。ステップはさらに、増幅された第１および第２の部分を送信することを含む。ここで、この送信するステップによって、増幅された第１の部分が、第１の電力レベルで送信され、増幅された第２の部分が、第２の電力レベルで送信されるようになる。この実施形態では、第１のスケーリング・ファクタと、調整されたスケーリング・ファクタと、第１および第２の電力増幅値とが、第１の電力レベルから第２の電力レベルへの変更が、電力レベル調節値に相当し、第１の電力増幅値と第２の電力増幅値との差が、予め定めた電力増幅差分値を超えないように決定される。
【００１６】
実施形態では、機械読取可能媒体は、組み込まれた命令群を格納する。これら命令群は、無線デバイスの少なくとも１つのコントローラによって実行された場合、無線デバイスに対して、多くのステップを実行させる。ステップは、スケールされた第１のシンボルを取得するために、第１のシンボルを、第１のスケーリング・ファクタで、および、スケールされた第２のシンボルを取得するために、第２のシンボルを、第２のスケーリング・ファクタで、電力スケールすることを含む。ステップはまた、スケールされた第１のシンボルおよびスケールされた第２のシンボルを、オーバラップおよび追加処理によって結合して、第１の結合信号とすることを含む。ここで、結合するステップは、電力スケールするステップ後に実行される。ステップはさらに、少なくとも１つの電力制御イベントに応じて、第１のスケーリング・ファクタと第２のスケーリング・ファクタとのうちの少なくとも１つを調節することを含む。ステップはさらに、第１の信号に対応する処理された第１のシンボルと、第２の信号に対応する処理された第２のシンボルとを備える処理された波形を取得するために、結合信号を処理することと、処理された波形を送信することとを含む。
【００１７】
実施形態では、機械読取可能媒体は、組み込まれた命令群を格納する。これら命令群は、無線デバイスの少なくとも１つのコントローラによって実行された場合、無線デバイスに対して、多くのステップを実行させる。ステップは、電力レベル調節値をしきい値と比較することを含む。ステップはまた、スケールされた第１のシンボルを取得するために、第１のシンボルを、第１のスケーリング・ファクタまで電力スケールすることを含む。ステップはさらに、電力レベル調節値がしきい値よりも大きくない場合には、第１のスケーリング・ファクタに等しい第２のスケーリング・ファクタを設定することと、電力レベル調節値がしきい値よりも大きい場合、第２のスケーリング・ファクタを、調節されたスケーリング・ファクタに設定することとを含み、調節されたスケーリング・ファクタは、第１のスケーリング・ファクタとは異なる。ステップはさらに、スケールされた第２のシンボルを取得するために、第２のスケーリング・ファクタまで第２のシンボルを電力スケールすることを含む。ステップはさらに、スケールされた第１のシンボルおよびスケールされた第２のシンボルを、オーバラップおよび追加処理によって結合して、結合信号とすることを含みうる。ここで、この結合する手段は、第１のシンボルおよび第２のシンボルの電力スケール後に、スケールされた第１のシンボルと、スケールされた第２のシンボルとに対して動作する。ステップはさらに、結合信号をアナログ波形に変換することを含む。ステップはさらに、電力増幅器の利得を、第１の電力増幅値に設定することと、アナログ波形の増幅された第１の部分を取得するために、利得が、第１の電力増幅値に設定されている場合、スケールされた第１のシンボルに対応するアナログ波形の一部を、電力増幅器を用いて増幅することとを含む。ステップはさらに、電力増幅器の利得を、第２の電力増幅値に設定することと、アナログ波形の増幅された第２の部分を取得するために、利得が、第２の電力増幅値に設定されている場合、スケールされた第２のシンボルに対応するアナログ波形の一部を電力増幅器を用いて増幅することとを含む。ステップはさらに、増幅された第１の部分と第２の部分とを送信することを含み、ここで、この送信するステップによって、増幅された第１の部分が、第１の電力レベルで送信され、増幅された第２の部分が、第２の電力レベルで送信されるようになる。この実施形態では、第１のスケーリング・ファクタ、調整されたスケーリング・ファクタ、第１および第２の電力増幅値は、第１の電力レベルから第２の電力レベルへの変化が、電力レベル調節値に一致するようになり、第１の電力増幅値と第２の電力増幅値との差が、予め定めた電力増幅差分値を超えないようになる。
【００１８】
実施形態では、無線デバイスは、スケールされた第１のシンボルを取得するために、第１のシンボルを、第１のスケーリング・ファクタまで、スケールされた第２のシンボルを取得するために、第２のシンボルを、第２のスケーリング・ファクタまで電力スケールする手段を含む。このデバイスはまた、スケールされた第１のシンボルおよびスケールされた第２のシンボルを、オーバラップおよび追加処理によって結合して、第１の結合信号とする手段を含む。ここで、この結合するステップは、電力スケールするステップ後に実行される。デバイスはさらに、少なくとも１つの電力制御イベントに応じて、第１のスケーリング・ファクタと第２のスケーリング・ファクタとのうちの少なくとも１つを調節する手段を含む。このデバイスはさらに、第１のシンボルに対応する処理された第１のシンボルと、第２のシンボルに対応する処理された第２のシンボルとを備える処理された波形を取得するために、結合信号を処理する手段を含む。デバイスはさらに、処理された波形を送信する手段を含む。
【００１９】
実施形態では、無線デバイスは、電力レベル調節値をしきい値と比較する手段を含む。デバイスはさらに、スケールされた第１のシンボルを取得するために、第１のスケーリング・ファクタまで第１のシンボルを電力スケールする手段を含む。デバイスはさらに、電力レベル調節値がしきい値よりも大きくない場合には、第１のスケーリング・ファクタに等しい第２のスケーリング・ファクタを設定し、電力レベル調節値がしきい値よりも大きな場合、第２のスケーリング・ファクタを、調節されたスケーリング・ファクタに設定する手段を含む。ここで、調節された第１のスケーリング・ファクタは、第１のスケーリング・ファクタと異なる。デバイスはさらに、スケールされた第２のシンボルを取得するために、第２のスケーリング・ファクタまで第２のシンボルを電力スケールする手段を含む。デバイスはさらに、スケールされた第１のシンボルおよびスケールされた第２のシンボルを、オーバラップおよび追加処理によって結合して、結合信号とする手段を含む。ここで、結合する手段は、第１および第２のシンボルの電力スケール後、スケールされた第１および第２のシンボルで動作する。デバイスはさらに、結合信号をアナログ波形に変換する手段を含む。デバイスはさらに、電力増幅器の利得を、第１の電力増幅値に設定し、アナログ波形の増幅された第１の部分を取得するために、利得が、第１の電力増幅値に設定されている場合、スケールされた第１のシンボルに対応するアナログ波形の一部を、電力増幅器を用いて増幅する手段を含む。デバイスはさらに、電力増幅器の利得を、第２の電力増幅値に設定し、アナログ波形の増幅された第２の部分を取得するために、利得が、第２の電力増幅値に設定されている場合、スケールされた第２のシンボルに対応するアナログ波形の一部を電力増幅器を用いて増幅する手段を含む。デバイスはさらに、増幅された第１および第２の部分を送信する手段を含む。送信するステップによって、増幅された第１の部分が、第１の電力レベルで送信され、増幅された第２の部分が、第２の電力レベルで送信されるようになる。この実施形態では、第１のスケーリング・ファクタと、調節されたスケーリング・ファクタと、第１および第２の電力増幅値が決定され、第１の電力レベルから第２の電力レベルへの変更が、電力レベル調節値に相当し、第２の電力増幅値と第１の電力増幅値のとの差が、予め定めた電力増幅差分値を超えないようになる。
【００２０】
本発明のこれらの態様およびその他の態様は、以下の記述、図面、および追加された特許請求の範囲を参照してより良く理解されるだろう。
【図面の簡単な説明】
【００２１】
【図１】図１は、本明細書に記載された実施形態にしたがって構成されうる多元接続無線通信システムの選択された要素を示す。
【図２】図２は、本明細書に記載された実施形態にしたがって構成されうる無線ＭＩＭＯ通信システムのブロック図方式で選択された構成要素を例示する。
【図３Ａ】図３Ａは、無線送信のために端末で生成されたシンボルの選択された機能を例示する。
【図３Ｂ】図３Ｂは、無線送信のために端末で生成されたシンボルの選択された機能を例示する。
【図３Ｃ】図３Ｃは、無線送信のために端末で生成されたシンボルの選択された機能を例示する。
【図４Ａ】図４Ａは、無線送信のために端末で生成されたシンボルの選択された機能を例示しており、オーバラップおよび追加処理前に、利得調節値がシンボルに適用される。
【図４Ｂ】図４Ｂは、無線送信のために端末で生成されたシンボルの選択された機能を例示しており、オーバラップおよび追加処理前に、利得調節値がシンボルに適用される。
【図４Ｃ】図４Ｃは、無線送信のために端末で生成されたシンボルの選択された機能を例示しており、オーバラップおよび追加処理前に、利得調節値がシンボルに適用される。
【図５】図５は、電力制御処理を実行するように構成された無線デバイスの選択された構成要素をブロック図形式で例示する。
【図６】図６は、無線デバイスにおいて送信電力を調節するための典型的な処理のために選択されたステップを例示する。
【図７】図７は、無線デバイスにおいて送信電力を調節するための他の典型的な処理のために選択されたステップを例示する。
【発明を実施するための形態】
【００２２】
本明細書では、「実施形態」、「変形例」という用語、および類似の表現は、特定の装置、処理、または製造物品を称するために用いられており、必ずしも、同じ装置、処理、または製造物品を称するために用いられる必要はない。したがって、１つの立場あるいは文脈で使用される「１つの実施形態」（あるいは類似の表現）は、特定の装置、処理、または製造物品を称し、別の立場における同じまたは類似の表現は、別の装置、処理、または製造物品を称することができる。「代替実施形態」、「代替的に」という表現、および類似の表現は、多くの異なる可能な実施形態のうちの１つを示すために使用されうる。可能な実施形態の数は、必ずしも、２またはその他任意の量に制限される必要はない。
【００２３】
「典型的である」という用語は、本明細書において、「例、事例、または例示として役立つ」ことを意味するために使用される。本明細書において「典型的」と記載されている任意の実施形態または変形例は、必ずしも他の実施形態または変形例よりも好適であるとか、有利であると解釈される必要はない。本明細書に記載された実施形態および変形例のすべては、当業者が、本発明の製造および使用することを可能にするために提供された典型的な実施形態および変形例であり、本発明に与えられた法的保護の範囲を必ずしも制限するものではない。
【００２４】
「トーン」および「サブ・キャリア」は、一般に、直交周波数分割多重化（ＯＦＤＭ）システムまたはＯＦＤＭＡシステムにおける個別のシンボル搬送トーンを示すために置換可能に使用される。
【００２５】
本明細書に記載された技術は、ＣＤＭＡネットワーク、ＴＤＭＡネットワーク、ＦＤＭＡネットワーク、ＯＦＤＭおよびＯＦＤＭＡネットワーク、シングル・キャリアＦＤＭ（ＳＣ−ＦＤＭ）ネットワーク、シングル・キャリアＦＤＭＡ（ＳＣ−ＦＤＭＡ）ネットワーク、および他のネットワークを含むさまざまな無線通信ネットワークと、ピア・ツー・ピア・システムのために使用されうる。これら技術は、順方向リンクおよび逆方向リンクの両方について使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００、およびその他の技術のようなラジオ技術を実現することができる。ＵＴＲＡネットワークは、広帯域ＣＤＭＡ（Ｗ−ＣＤＭＡ）ネットワークおよび低チップ・レート（ＬＣＲ）ネットワークを含んでいる。ｃｄｍａ２０００は、ＩＳ−２０００規格、ＩＳ−９５規格、およびＩＳ−８５６規格を指定する。ＴＤＭＡネットワークは、例えばグローバル移動体通信システム（ＧＳＭ）のようなラジオ技術を実現することができる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ、およびその他の技術のようなラジオ技術を実現することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００規格は、「第３世代パートナシップ計画２」（３ＧＰＰ２）と命名された組織からの文書に記載されている。これら技術のある態様は、以下にＬＴＥについて記載されており、以下の記載ではＬＴＥ用語が使用されているが、これら技術は、その他の規格および技術に対しても適用可能である。
【００２６】
シングル・キャリア周波数分割多元接続（ＳＣ−ＦＤＭＡ）は、シングル・キャリア変調および周波数領域等値化を利用する通信技術である。ＳＣ−ＦＤＭＡシステムは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡ技術は、多くのシステム、特に、より低いＰＡＰＲが送信電力効率の観点からモバイル端末に非常に役立つ逆方向リンク通信において魅力的である。ＳＣ−ＦＤＭＡは、３ＧＰＰロング・ターム・イボリューション（ＬＴＥ）すなわちイボルブドＵＴＲＡにおけるアップリンク多元接続スキームとして実現されうる。
【００２７】
１つの実施形態にしたがう多元接続無線通信システム１００が、図１に例示される。アクセス・ポイントあるいは基地トランシーバ局１０１は、複数のアンテナ・グループを含んでおり、１つのアンテナ・グループは、アンテナ１０４およびアンテナ１０６を含み、別のグループはアンテナ１０８およびアンテナ１１０を含み、さらに別のグループはアンテナ１１２およびアンテナ１１４を含む。おのおののアンテナ・グループについて２つのアンテナしか例示されていないが、２本より多いアンテナ、または２本より少ないアンテナも、これらアンテナ・グループの何れかに含まれる。ＢＴＳ１０１はさらに、単一のアンテナ・グループ、あるいは単一のアンテナを含むこともできる。アクセス端末（ＡＴ）１１６は、アンテナ１１２およびアンテナ１１４と通信している。ここで、アンテナ１１２およびアンテナ１１４は、順方向リンク１２０によってアクセス端末１１６に情報を送信し、逆方向リンク１１８によってアクセス端末１１６から情報を受信する。アクセス端末１２２はアンテナ１０６およびアンテナ１０８と通信している。ここで、アンテナ１０６およびアンテナ１０８は、順方向リンク１２６によってアクセス端末１２２に情報を送信し、逆方向リンク１２４によってアクセス端末１２２から情報を受信する。ＦＤＤシステムでは、通信リンク１１８、１２０、１２４、１２６のおのおのは、順方向リンクおよび逆方向リンクについて異なる周波数を使用するのみならず、アクセス端末と特定のアンテナまたはアンテナ・グループとの間の通信のために、異なる周波数を使用することができる。例えば、順方向リンク１２０は、逆方向リンク１１８によって使用されるものとは異なる周波数を使用することができる。また、順方向リンク１２６によって使用されるものとも異なる周波数を使用することができる。しかしながら、異なる周波数を使用することは、必ずしも本発明の要件ではない。
【００２８】
アンテナのグループのおのおの、および、アンテナが通信するために設計された領域は、しばしばセクタと称される。図１に示すように、アンテナ・グループのおのおのは、ＢＴＳ１０１によってカバーされている領域のうちの異なるセクタ内のアクセス端末と通信するように設計されている。
【００２９】
順方向リンク１２０、１２６による通信では、異なるアクセス端末１１６、１２２のための順方向リンクの信号対雑音比を改善するために、ＢＴＳ１０１の送信アンテナは、ビームフォーミングを利用する。さらに、ビームフォーミングは、すべてのアクセス端末に対して単一のアンテナによる順方向リンク送信と比較して、近隣セル内のアクセス端末の干渉を低減する。ビームフォーミングは、必ずしも、本発明の要件ではない。
【００３０】
アクセス・ポイントあるいは基地トランシーバ局は、端末との通信のための固定局として使用され、ノードＢ、または、その他の専門用語で称される。アクセス端末はまた、モバイル・ユニット、ユーザ機器（ＵＥ）、無線通信デバイス、端末、モバイル端末、あるいはその他のいくつかの用語で呼ばれる。
【００３１】
図２は、（例えば、ＢＴＳ１０１のような）基地トランシーバ局の送信機システム２１０と、（例えば、アクセス端末１１６のような）アクセス端末の受信機システム２５０とを含む無線ＭＩＭＯ通信システム２００の実施形態のうちの選択された構成要素をブロック図形式で示す。送信機システム２１０では、データ・ソース２１２から提供された多くのデータ・ストリーム用のトラフィック・データが、データ・ソース２１２から送信（Ｔｘ）データ・プロセッサ２１４に提供される。
【００３２】
実施形態では、データ・ストリームはおのおのの、それぞれの送信アンテナあるいはアンテナ・グループを介して送信される。ＴＸデータ・プロセッサ２１４は、トラフィック・データ・ストリームをフォーマットし、このデータ・ストリームのために選択された特定の符合化スキームに基づいて符号化し、インタリーブして、符合化されたデータを提供する。おのおののデータ・ストリームの符合化されたデータは、ＯＦＤＭ技術を用いてパイロット・データと多重化されうる。パイロット・データは、周知の方式で処理される既知のデータ・パターンであり、物理チャネル応答の推定、または、機能の転送のために、受信機システムにおいて使用されうる。おのおののデータ・ストリームについて多重化されたパイロットおよび符合化されたデータは、データ・ストリームのために選択された特定の変調スキームに基づいて変調（例えば、シンボル・マップ）され、変調シンボルが提供される。変調スキームは、例えば、バイナリ・フェーズ・シフト・キーイング（ＢＰＳＫ）、直交フェーズ・シフト・キーイング（ＱＰＳＫ）、Ｍアレイ・フェーズ・シフト・キーイング（Ｍ−ＰＳＫ）、多元レベル直交振幅変調（Ｍ−ＱＡＭ）から選択される。おのおののデータ・ストリームのデータ・レート、符号化、および変調は、プロセッサ２３０によって実行される命令群によって決定される。
【００３３】
すべてのデータ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００３４】
おのおのの送信機８２２は、１または複数のアナログ信号を提供するために、それぞれのシンボル・ストリームを受信して処理し、さらには、対応するＭＩＭＯチャネルを介した送信に適切な変調信号を提供するために、このアナログ信号を調整（例えば、増幅、フィルタ、およびアップコンバート）する。送信機８２２ａ乃至８２２ｔからのＮＴ個の変調信号は、ＮＴ個のアンテナ２２４ａ乃至２２４ｔそれぞれから送信される。
【００３５】
アクセス端末２５０では、送信された変調信号が、ＮＲ個のアンテナ２５２ａ乃至２５２ｒによって受信され、受信された信号がおのおののアンテナ２５２からそれぞれの受信機（ＲＣＶＲ）２５４ａ乃至２５４ｒへ提供される。受信機２５４のおのおのは、それぞれの受信信号を調整（例えば、フィルタ、増幅、およびダウンコンバート）し、この調整された信号をデジタル化してサンプルを提供し、さらにこのサンプルを処理して、対応する受信されたシンボル・ストリームを提供する。
【００３６】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、検出されたおのおののシンボル・ストリームを復調し、デインタリーブし、復号して、そのデータ・ストリームのためのトラフィック・データを復元する。ＲＸデータ・プロセッサ２６０による処理は、基地局２１０におけるＴＸ  ＭＩＭＯプロセッサ２２０およびＴＸデータ・プロセッサ２１４によって実行されるものと相補的である。
【００３７】
プロセッサ２７０は、上述したように、利用可能などの技術を利用するのかを定期的に決定する。プロセッサ２７０は、行列インデクス部およびランク値部を備えた逆方向リンク・メッセージを規定することができる。逆方向リンク・メッセージは、通信リンクおよび／または受信されたデータ・ストリームに関するさまざまなタイプの情報を備えうる。
【００３８】
逆方向リンク・メッセージは、多くのデータ・ストリームに関するトラフィック・データをデータ・ソース８３６から受け取るＴＸデータ・プロセッサ８３８によって処理される。トラフィック・データおよび逆方向リンク・メッセージは、変調器２８０によって変調され、送信機２５４ａ乃至２５４ｒによって調整され、送信機システム２１０へ送り戻される。
【００３９】
送信機システム２１０では、受信機システム２５０からの変調信号が、（図１に示すアンテナ１０４−１１４と同じまたは異なりうる）アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。プロセッサ２３０は、ビームフォーミング重みを決定するためにどの事前符号化行列を使用するのかを決定し、抽出されたメッセージを処理する。
【００４０】
アクセス端末におけるＯＦＤＭＡ送信、ＳＣ−ＦＤＭ送信、またはＳＣ−ＦＤＭＡ  ＦＤＤ送信は、時間にわたるＯＦＤＭＡシンボルまたはＳＣ−ＦＤＭシンボルの連続送信を含む。ＵＭＢ規格の下では、プロトコルの１つの例として、アクセス端末は、すべての逆方向リンク・フレームで送信することができる。アクセス端末が、電力制御コマンドを受信すると、アクセス端末の電力レベル全体を調節する方法は、アクセス端末の電力増幅器（ＰＡ）設定を調節することである。この調節は、一般に、シンボル境界で生じる。
【００４１】
図３Ａ、図３Ｂ、および図３Ｃは、基地トランシーバ局（例えば、ＢＴＳ送信機２１０）への送信のために、（前述したように、方法は、必ずしも逆方向リンク電力制御に限定される必要なく、例えば、アクセス端末受信機２５０のような）無線端末で生成されたシンボルを例示する。第１のシンボル３１０は、前半オーバラップ部（シンボル・ウィンドウ）３１１、サイクリック・プレフィクス部３１２、情報／ペイロード搬送部３１３、および後半オーバラップ部（シンボル・ウィンドウ）３１４を含む。第２のシンボル３２０は、前半オーバラップ部（シンボル・ウィンドウ）３２１、サイクリック・プレフィクス部３２２、情報／ペイロード搬送部３２３、および後半オーバラップ部（シンボル・ウィンドウ）３２４を含む。シンボル・ウィンドウ（前半オーバラップ部および後半オーバラップ部）は一般に、シンボルからシンボルへのスムースな移行を示し、これによって、送信された信号のスペクトル・コンテンツを制限する。
【００４２】
図３Ａおよび図３Ｂは、ＯＦＤＭＡまたはＳＣ−ＦＤＭＡ送信におけるオーバラップおよび追加処理を例示する。一般に、シンボルの後半オーバラップ部（３１４）は、直後のシンボルの前半オーバラップ部（３２１）と全体的にあるいはほとんどオーバラップする。したがって、後半オーバラップ部３１４および前半オーバラップ部３２１は、同時に、あるいはほとんど同時に始まる。これは図３Ｂにおいて認められうる。
【００４３】
図３Ｃは、端末における電力制御の１つの実施形態を例示する。ここでは、第２のシンボル（３２０）の電力が、例えば、ＡＰ／ＢＴＳからの電力制御コマンドに応じて（第１のシンボルと比較して）増加する。電力制御は、結合された波形に対して、シンボル・ウィンドウ境界における電力増幅器（ＰＡ）設定を調節することによって、アナログ領域において実行されるか、あるいは、結合された波形に対して、シンボル・ウィンドウ境界におけるＤＡＣ入力において信号レベルを調節することによって、デジタル的に実行される。これら両方のスキームによって、第１のシンボル３１０および第２のシンボル３２０の後になされる電力調節は、オーバラップおよび追加処理を経て、合成シンボル３５０が得られる。これによって、「シンボル・ウィンドウ期間」において、劇的に振幅が変化する。なぜなら、第２のシンボル３５０は、第１のシンボル３１０よりも振幅が著しく高いからである。これは、図３Ｃにおいて見られる。実際、この変化は、意図しているシンボル・ウィンドウ形状を破壊し、合成フレームのスペクトル・コンテンツが、より高い周波数成分を持つようになり、もって、スペクトル・マスクに違反する可能性がある。
【００４４】
図３Ａ乃至図３Ｃに示すように、第１のシンボル３１０は、第１の電力レベルにおいて送信された第１のフレームの一部であり、第２のシンボル３２０は、第１の電力レベルよりも高い第２の電力レベルにおいて送信された第２のフレームの一部である。したがって、図３の電力制御は、フレーム境界で行われる。しかしながら、これは必ずしも本発明の要件ではない。例えば、シンボル３１０およびシンボル３２０は、例えばＯＦＤＭシンボル、ＳＣ−ＦＤＭシンボル、あるいはＳＣ−ＦＤＭＡシンボルでありうる。これもまた、必ずしも本発明の要件ではない。
【００４５】
フレーム・ベースの通信システムでは、一般に、いくつかの追加処理の後、送信される波形を生成するために、オーバラップおよび追加処理によって、フレームが追加される。図３Ｂは、結合された信号波形３４０を取得するために、オーバラップおよび追加処理で結合された、第１のシンボル３１０を有する第１のフレームと、第２のシンボル３２０を有する第２のフレームとを例示する。その後、第２のフレーム３２０の電力を増加するために、結合された信号波形の電力制御が実行される。その結果、図３Ｃでは、合成され電力が調節された波形３５０が示される。第２のシンボル３２０は、第１のシンボル３１０よりも著しく振幅が大きいので、２つのシンボル間の移行３５２は、合成フレーム３５０において明らかに明確である。移行３５２の鋭さおよび大きさによって、波形３５０のスペクトルが大きく拡散され、もって、適応可能なスペクトル・マスクに違反することになる。しかしながら、この方法によって、アクセス端末の送信機の電力増幅器（ＰＡ）は、比較的低い利得設定で動作できるようになり、もって、アクセス端末の送信機は、比較的高い利得設定で動作している類似のＰＡを持つ類似の送信機よりもより効率的に動作しうる。
【００４６】
図４Ａ、図４Ｂ、および図４Ｃは、送信電力制御スキームの別の実施形態にしたがうサンプル・シンボルを例示する。図４Ａは、図３Ａのシンボル３１０、３２０に類似または同一である第１のシンボル４１０および第２のシンボル４２０を示す。シンボル４１０は、前半オーバラップ部４１１、サイクリック・プレフィクス部４１２、情報／ペイロード搬送部４１３、および後半オーバラップ部４１４を含んでいる。シンボル４２０は、前半オーバラップ部４２１、サイクリック・プレフィクス部４２２、情報／ペイロード搬送部４２３、および後半オーバラップ部４２４を含んでいる。前半オーバラップ部および後半オーバラップ部は、一般に、シンボルからシンボルへのスムースな移行を示し、送信電力におけるスパイク、および、送信された信号の関連するスペクトル拡散を阻止する。図４Ｂは、この実施形態における電力制御を例示しており、ＡＰから、あるいは、そうでない場合には、他からの電力制御コマンドに応じて、第２のシンボル４２０の電力が（第１のシンボル４１０に対して）増加する。この場合、図４Ｂに示すように、オーバラップおよび追加ステップ前に電力調節がなされる。具体的には、シンボル４１０’は、第１の電力レベルで送信された第１のフレームの一部であり、第２のシンボル４２０’は、第１の電力レベルより高い第２の電力レベルで送信されるように調節された第２のフレームの一部である。シンボル４１０およびシンボル４２０は、例えば、ＯＦＤＭシンボルあるいはＳＣ−ＦＤＭシンボルである。繰り返すが、フレーム境界における電力制御を実行するために、ＯＦＤＭシンボルを使用することも、ＳＣ−ＦＤＭシンボルを使用することも、必ずしも本発明の要件ではない。
【００４７】
第２のシンボル４２０’の利得設定は、クローズド・ループ技術やオープン・ループ技術に基づくことや、基地トランシーバ局または別のコントローラからのコマンドに基づくこと、を含むさまざまな方式で決定される。図４に示すように、シンボル４１０に対応する利得設定は調節されない（あるいは、シンボル４２０に対応する利得設定と異なる量に調節される）ので、シンボル４１０’の振幅は、シンボル４１０のものと同じであるか、実質的に同じである。シンボル４１０およびシンボル４２０の振幅が、説明された方式で調節された後、オーバラップおよび追加シーケンス機能モジュールが、合成波形４５０を生成する。シンボル間の移行がさほど鋭くなくなっており、その結果、合成波形３５０に対応する信号の送信から生じるスペクトル拡散に対して、送信信号のスペクトル拡散が低くなっていることに着目されたい。したがって、時間領域ＯＦＤＭシンボルまたはフレームの、オーバラップおよび追加段階前の電力「スケーリング」によって、高周波数成分がさほど目立たなくなる。
【００４８】
図４は、設計要件およびフレーム増幅に依存して、第２のフレームにおけるフレーム４２０が、送信電力レベルの調節値にしたがうシンボル（およびフレーム）であるが、第１のシンボル（およびその対応するフレーム）４１０もまた調節されることを例示している。例えば、第１のシンボル（およびフレーム）４１０は、第２のシンボル（およびフレーム）４２０よりも高い振幅からなる。したがって、異なる利得設定が、異なるフレームあるいはシンボルに適用されうる。上述した典型的な電力制御に基づいて、合成フレーム／シンボルにおけるスペクトル・コンテンツを低減しながら、フレーム増幅および制御のさまざまな選択が達成されうる。図３および図４は、２つのシンボルしか示していないが、一般には、さらに多くのフレームおよびシンボルが、このような移行手順にしたがう複数の電力制御調節値をもって送信される。
【００４９】
図５は、本明細書にわたって記載された電力制御処理を実行するように構成された無線デバイス５００の選択された構成要素を、ブロック図形式で例示する。無線デバイス５００は、例えば、図２の受信機システム２５０を含むアクセス端末のようなアクセス端末である。無線デバイス５００のうち例示する構成要素は、逆高速フーリエ変換（ＩＦＦＴ）エンジン５１０、サイクリック・プレフィクス・モジュール５２０、スケーラ５２５、オーバラップおよび追加モジュール５３０、アップサンプリング・モジュール５４０、デジタル・アナログ変換器（ＤＡＣ）５５０、および電力増幅器（ＰＡ）５６０を含んでいる。これら構成要素はさらに、スケーラ５２５の利得を設定する第１の増幅制御モジュール５５５と、電力増幅器５６０の利得を設定する第２の増幅制御モジュール５５６とをも含む。この構成におけるさまざまな要素およびモジュールは、本説明の目的のために必ずしも必要ではないので、図５には示されていないが、そのような省略されたモジュールは、本明細書に記載された発明的な概念および態様にしたがったさまざまな実施形態において使用されうることが注目されるべきである。
【００５０】
ＩＦＦＴエンジン５１０、サイクリック・プレフィクス・モジュール５２０、オーバラップおよび追加モジュール５３０、アップサンプリング・モジュール５４０、ＤＡＣ５５０、およびＰＡ５６０の動作は、当業者が本明細書を読めば容易に理解できるに違いない。手短に説明すると、ＩＦＦＴエンジン５１０は、逆高速フーリエ変換機能を提供し、サイクリック・プレフィクス・モジュール５２０は、サイクリックなプレフィクスを生成し、特定のフレームまたはシンボルに追加する。オーバラップおよび追加モジュール５３０は、異なるフレーム／シンボルを結合する。モジュール５４０は、適切な形状およびシンボルを支援するために、結果として得られた波形をアップサンプルする。ＤＡＣ５５０は、デジタル信号のアナログ波形への変換を実行する。また、ＰＡ５６０は、アナログ信号の送信前に、調整可能な電力増幅を与える。
【００５１】
図４に関して記載されているように、増幅は、オーバラップ及び追加モジュール５３０の前に実行されうる。第１の増幅制御モジュール５５５およびスケーラ５２５が、この機能を実行するように構成される。いくつかの変形例では、スケーラ５２５が、オーバラップおよび追加モジュール５３０の一部となるが、スケールすることまたは利得調節は、このモジュール５３０のオーバラップおよび追加機能前に実行される。その他の変形例では、スケーラ５２５は、個別のデバイスであり、モジュール５３０のオーバラップおよび追加機能の前に、スケーリングまたは利得調節機能を実行する。スケーラ５２５は、デジタル的に機能するように構成される。
【００５２】
第２の増幅制御モジュール５５６は、ＰＡ５６０の利得を従来方式で変更するように構成される。しかし、ＰＡ５６０の利得調節量は、既知システムにおける対応する量とは異なりうる。既知のシステムからの別の変更は、ＰＡ５６０において利得調節を実行するか否かを決定することである。ＰＡ５６０乃至増幅制御モジュール５５６の調節は、図３Ａ乃至図３Ｃに関連して上述したように実行される。
【００５３】
図６は、例えばアクセス端末１１６あるいはアクセス端末１２２のような無線デバイスにおいて送信電力を調節するための典型的な処理６００の選択されたステップを示す。処理６００では、１つのフレーム／シンボルから直後のフレーム／シンボルへの電力レベル差が、予め定めたしきい値ＰＴＨＥＲＳを超えない場合、電力利得は、増幅制御モジュール５５６によってＰＡ５６０において調節され、この電力レベル差が、予め定めたしきい値ＰＴＨＥＲＳを超えた場合、電力利得は、増幅制御モジュール５５５によってスケーラ５２５において調節される。
【００５４】
典型的な処理６００は、フロー・ポイント６１０において始まり、このポイントでは、アクセス端末の送信電力を調節する必要性が生じる。例えば、アクセス端末の別の処理は、順方向リンク・パイロットに基づいて、アクセス端末と基地トランシーバ局との間の物理チャネルからの減衰、フェージング、および／または雑音が、逆方向リンク送信電力における増加を必要としていると判定する。別の例として、アクセス端末は、基地トランシーバ局から電力制御コマンドを受信する。電力調節が実行される時間は、シンボルおよび／またはフレームの境界においてでありうる。
【００５５】
その後、処理６００の処理フローは、ステップ６２０に進み、連続するフレーム間の振幅または電力レベルの差が判定される。（我々は、本明細書において「フレーム」を、フレーム境界において電力制御が実行されるという仮定のもと用いているが、それは、必ずしも本発明の要件ではないので、電力差は、シンボル毎にあり、恐らくは、他の送信信号部同士間にあることを思い出されたい。）この判定は、例えば、信号対雑音及び干渉比（ＳＩＮＲ）に基づく。この判定はまた、例えば、単に、基地トランシーバ局から送信された電力制御コマンドにおける値を受信すること、および読み取ることでありうる。これらフレームは、ステップ６２０において、お互いから時間ステップしているとして区別される（例えば、ｔ対（ｔ−１）。ここでｔは、送信されたフレームを示す時間インデクス整数である）。しかしながら、シーケンスの任意の形式および表記法が使用されうる。
【００５６】
電力レベル差が判定された後に、処理フローは判定ブロック６３０に進み、差分と、予め定めたしきい値（ＰＴＨＥＲＳ）との比較がなされる。このしきい値は、署名されたあるいは署名されていないスカラ量であるか、または、非スカラ量である。このしきい値は、初期設定、無線デバイスの動作パラメータ、このデバイスが動作するネットワークの現在の動作パラメータ、あるいはその他に基づいて調節可能である。判定ブロック６３０は、この比較を実行するために、「〜より大きい」関係を使用する。しかしながら、例えば、未満、以上、以下のように、適用可能な任意の比較または値テスト方法が使用されうる。スケーラしきい値は、例えば、０．５ｄＢ、１ｄＢ、２ｄＢ、あるいは３ｄＢの送信電力差に相当する。さらに、他の値も可能である。
【００５７】
判定ブロック６３０における比較により、送信電力差が、予め定めたしきい値を超えないと判定された場合、典型的な処理は、ステップ６４０へ進む。ここでは、送信電力差の大きさに対する電力調節が、モジュール５５６によって、ＰＡ段階において実行される。ステップ６４０の後、処理６００は、フロー・ポイント６６０で終了する。
【００５８】
判定ブロック６３０に戻って、比較の結果、送信電力差が、しきい値ＰＴＨＲＥＳを超えていると判定されると、処理フローは、電力調節ステップ６５０へ進む。これは、図４Ａ乃至図４Ｃに関連して記載されている。ここで、ステップ６５０は、「アルファ・スケーリング」という用語を用いる。これは、フレーム増幅／電力を増加または減少するためのスカラ動作またはその他の動作を表す。ステップ６５０における調節は、ステップ６２０で判定された電力レベル差に等しい。ステップ６５０から、処理フローは、フロー・ポイント６６０へ進み、ここで処理６００は終了する。
【００５９】
上記フロー・チャート６００は、フロー・ポイント６６０において終了する典型的な処理を示しているが、実際には、典型的な処理は、必要に応じて、あるいは、連続／継続ループで動作することが注目されるべきである。
【００６０】
いくつかの事例では、上記処理のロジックを逆にすることが望ましい一方、ステップ６３０のテストが、「〜を超える」値ではなく、「〜未満」の値に基づくことが注目されるべきである。これは１つの限定しない例であるが、テスト・モードにおいてありうる。
【００６１】
上記処理６００に基づいて、電力増幅器の制御は、増幅制御モジュール５５５と増幅制御モジュール５５６との間で切り換えられうる。図７に例示する別の典型的な処理７００では、電力増幅（利得設定）の制御は、ＰＡ５６０とスケーラ５２５との両方において実行される。この処理では、連続したフレーム（あるいは、上述したようなシンボル）間における電力レベルの差が、第１のしきい値ＰＴＨＲＥＳ１を超えない場合、増幅率は、電力増幅器５６０において変更される。これは、処理６００に類似している。連続的な電力レベルの差が、第１のしきい値ＰＴＨＲＥＳ１以上である場合、処理は、増幅制御モジュール５５６によってＰＡ５６０において、および、増幅制御モジュール５５５によってスケーラ５２５において、電力を調節する。
【００６２】
典型的な処理７００は、フロー・ポイント７１０において始まる。このポイントでは、アクセス端末の送信電力を調節する必要性が生じる。例えば、アクセス端末の別の処理は、順方向リンク・パイロットに基づいて、アクセス端末と基地トランシーバ局との間の物理チャネルの減衰、フェージング、および／または、雑音が、逆方向リンク電力における増加を必要としていると判定する。別の例として、アクセス端末は、基地トランシーバ局から電力制御コマンドを受信する。
【００６３】
その後、処理７００の処理フローは、ステップ７２０に進み、フレーム間の振幅または電力レベル差が判定される。この判定は、例えばＳＩＮＲに基づく。例えば、この判定は、単に、基地トランシーバ局から受信した電力制御コマンドにおける値を読み取ることでありうる。
【００６４】
電力レベル差を判定した後、処理７００の処理フローは、判定ブロック７３０に進み、電力レベル差と、第１のしきい値（ＰＴＨＲＥＳ１）との比較がなされる。第１のしきい値は、署名されたあるいは署名されていないスカラ量であるか、または、非スカラ量であり、調節可能であり、要するに、処理６００のしきい値と類似している。判定ブロック７３０は、比較を行うために、「〜を超える」関係を用いるが、処理６００のステップ６３０に関連して上述したように、適用可能な任意の比較または値テスト方法が使用されうる。
【００６５】
判定ブロック７３０における比較によって、電力レベル差が、予め定めた第１のしきい値を超えていないと判定された場合、典型的な処理は、ステップ７４０に分かれ、モジュール５５６によって、ＰＡ段階において、電力調節が行われる。ステップ７４０の後、処理７００は、フロー・ポイント７６０で終了する。
【００６６】
判定ブロック７３０における比較によって、電力レベル差が、第１のしきい値ＰＴＨＲＥＳ１を超えていると判定された場合、処理フローは、ステップ７４０と類似した電力利得調節ステップ７４５へ進む。しかしながら、ここでは、ＰＡにおける電力レベル調節値は、第２のしきい値ＰＴＨＲＥＳ２に制限されている。有利なことに、第２のしきい値は、第１のしきい値と同じあるいは実質的に同じ、すなわち、ＰＴＨＲＥＳ１＝ＰＴＨＲＥＳ２でありうる。ある変形例ＰＴＨＲＥＳ１＞ＰＴＨＲＥＳ２がある一方、別の変形例ＰＴＨＲＥＳ１＜ＰＴＨＲＥＳ２もあることに注目されたい。
【００６７】
処理フローは、ステップ７４５から、ステップ７５０に移る。ステップ７５０は、処理６００のステップ６５０に類似しており、図４Ａ乃至図４Ｃに関連して説明されている。ステップ７５０における電力調節によって、ステップ７２０において判定された電力レベル差の残りの大きさに、電力レベル調節値が提供される。言い換えれば、ステップ７５０で提供される電力調節値は、（ＰＤＩＦＦ−ＰＴＨＲＥＳ２）に等しいか実質的に等しい。ここで、ＰＤＩＦＦは、ステップ７２０で判定された電力レベル差である。したがって、ステップ７４５およびステップ７５０において結合された電力調節値は、ステップ７２０において判定された電力レベル差に等しいか、実質的に等しい。
【００６８】
処理フローは、ステップ７５０から、フロー・ポイント７６０へ進み、ここで処理７００は終了する。
【００６９】
ステップ７４５およびステップ７５０は、実行順序が相互に置換されたり、あるいは、同時に実行されうる。
【００７０】
処理７００は、必要に応じて繰り返される。あるいは、連続／継続ループで動作しうる。
【００７１】
さまざまな方法のステップおよび判定ブロックは、本開示では、連続的に記述されているが、これらのステップおよび判定のうちのいくつかは、連携して、並行して、非同期または同期的に、パイプライン方式で、あるいはその他の方式で、個別の要素によって実行されうる。これらステップおよび判定は、明示的に述べられた場合、あるいは、文脈から明らかな場合、あるいは、本質的に必要とされる場合を除いて、説明におけるリストと同じ順序で実行されねばならないという特別な必要性はない。しかしながら、選択された変形例においては、これらステップおよび判定は、上述した特定の順序で実行されるか、添付図面に示すような順序で実行されることが注目されるべきである。さらに、各システムにおいて、例示されたすべてのステップおよび判定が必要とされる訳ではないが、いくつかのシステムにおいては、具体的に例示されていないいくつかのステップおよび判定が望ましい。
【００７２】
態様では、開示された発明的概念は、順方向リンク、ピア・ツー・ピア・リンク、および、その他の非多元接続コンテクストにおいて使用されることが注目されるべきである。あるＴＤＤシステムおよびその他の非ＴＤＤシステムにおける適応性のある電力制御は、本明細書にわたって記載された発明的な概念を利用することから利益を得ることができることに注目されるべきである。
【００７３】
当業者であれば、本明細書で説明された通信技術は、双方向トラフィック送信のみならず、一方向トラフィック送信のためにも利用されうることを理解するであろう。
【００７４】
当業者であれば、情報および信号は、さまざま異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７５】
当業者であればさらに、本明細書で開示された実施形態および変形例に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に示すために、さまざまな例示的な構成要素、ブロック、モジュール、回路、およびステップが、それらの機能の観点から一般的に記述された。それら機能がハードウェアとして、ソフトウェアとして、あるいはハードウェアとソフトウェアとの組み合わせとして実現されるかは、特定のアプリケーションおよびシステム全体に課せられている設計制約に依存する。当業者であれば、各特定のアプリケーションに応じて変化する方法で上述した機能を実現することができる。しかしながら、この適用判断は、本開示の範囲からの逸脱をもたらすものと解釈されるべきではない。
【００７６】
本明細書に開示された実施形態および変形に関して記述された実例となるさまざまな論理ブロック、モジュール、および回路は、本明細書に記載された機能を実行するために、汎用プロセッサ、デジタル信号プロセッサ（ＤＳＰ）、特定用途向けＩＣ（ＡＳＩＣ）、フィールドプログラム可能ゲート・アレイ（ＦＰＧＡ）またはその他のプログラム可能な論理デバイス、ディスクリート・ゲートまたはトランジスタ・ロジック、ディスクリート・ハードウェア構成要素、あるいは、設計されたこれらの任意の組み合わせで実装または実現される。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００７７】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ・プログラムを１つの場所から別の場所へ転送することを容易にする任意の媒体を含む通信媒体とコンピュータ記憶媒体との両方を含む。記憶媒体は、コンピュータによってアクセスされうる利用可能な任意の媒体である。限定することなく、一例として、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、フラッシュ・メモリ、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００７８】
開示された実施形態および変形例に関する前述した記載、いかなる当業者であっても、本発明を製造または使用できるように提供される。これらの実施形態に対するさまざまな変形例は、当業者に容易に明らかになり、本明細書に定義された一般的な原理は、他の実施形態にも適用可能である。このように、本開示は、本明細書で示された実施形態および変形例に限定されるものではなく、本明細書で開示された原理および新規な特徴に一致した最も広い範囲に相当することが意図されている。
以下に、出願当初の特許請求の範囲に記載された発明を付記する。
［発明１］
無線通信方法であって、
スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールすることと、
前記電力スケールした後に、前記スケールされた第１のシンボルと、前記スケールされた第２のシンボルとを、オーバラップおよび追加処理によって結合して、結合信号とすることと、
少なくとも１つの電力制御イベントに応じて、前記第１のスケーリング・ファクタおよび前記第２のスケーリング・ファクタのうちの少なくとも１つを調節することと、
前記第１のシンボルに対応する処理された第１のシンボルと、前記第２のシンボルに対応する処理された第２のシンボルとを有する処理された波形を取得するために、前記結合信号を処理することと、
前記処理された波形を送信することと
からなる各ステップを備える無線通信方法。
［発明２］
前記処理するステップは、前記結合信号を電力増幅することを備える発明１に記載の無線通信方法。
［発明３］
前記処理は、無線モバイル端末で実行され、前記第２のシンボルは、時間において、前記第１のシンボルの後であり、前記処理された第１のシンボルと前記処理された第２のシンボルとの間では、前記無線モバイル端末によって、他のシンボルは送信されず、前記第１のスケーリング・ファクタと前記第２のスケーリング・ファクタとのうちの少なくとも１つは、前記第２のスケーリング・ファクタであり、
前記方法はさらに、前記無線モバイル端末から送信される電力の調節値を指定する電力制御コマンドをネットワークから受信することを備える発明２に記載の無線通信方法。
［発明４］
前記調節値を、予め定めたしきい値と比較することをさらに備え、
前記調節するステップは、前記調節値が、前記予め定めたしきい値との予め定めた関係を有することに応じて実行され、前記予め定めた関係は、大きい、未満、以上、および以下からなるセットから選択される発明３に記載の無線通信方法。
［発明５］
前記ネットワークおよび前記無線モバイル端末は、周波数分割デュプレクス（ＦＤＤ）通信プロトコルを用いて通信する発明４に記載の無線通信方法。
［発明６］
前記ネットワークおよび前記無線モバイル端末は、直交周波数分割多重化（ＯＦＤＭ）、直交周波数分割多元接続（ＯＦＤＭＡ）、シングル・キャリア周波数分割多重化（ＳＣ−ＦＤＭ）、あるいはシングル・キャリア周波数分割多元接続（ＳＣ−ＦＤＭＡ）通信プロトコルを用いて通信する発明４に記載の無線通信方法。
［発明７］
前記処理は、無線モバイル端末において実行され、前記第２のシンボルは、時間において、前記第１のシンボルの後であり、前記処理された第１のシンボルと前記処理された第２のシンボルとの間では、前記無線モバイル端末によって、他のシンボルは送信されず、前記第１のスケーリング・ファクタと前記第２のスケーリング・ファクタとのうちの少なくとも１つは、前記第２のスケーリング・ファクタであり、
前記方法はさらに、前記無線モバイル端末から送信される電力の調節値を決定するために、ネットワークから送信されたパイロット信号を分析することを備える発明２に記載の無線通信方法。
［発明８］
前記調節値を、予め定めたしきい値と比較することをさらに備え、
前記調節するステップは、前記調節値が、前記予め定めたしきい値との予め定めた関係を有することに応じて実行され、前記予め定めた関係は、大きい、未満、以上、および以下からなるセットから選択される発明７に記載の無線通信方法。
［発明９］
前記ネットワークおよび前記無線モバイル端末は、周波数分割デュプレクス（ＦＤＤ）通信プロトコルを用いて通信する発明８に記載の無線通信方法。
［発明１０］
前記第１のシンボルは第１のフレームの一部であり、前記第２のシンボルは第２のフレームの一部であり、前記第２のフレームは前記第１のフレームとは異なる発明２に記載の無線通信方法。
［発明１１］
無線通信方法であって、
電力レベル調節値を、しきい値と比較することと、
スケールされた第１のシンボルを取得するために、第１のスケーリング・ファクタまで第１のシンボルを電力スケールすることと、
前記電力レベル調節値が前記しきい値よりも大きくない場合、第２のスケーリング・ファクタを前記第１のスケーリング・ファクタに等しく設定し、前記電力レベル調節値が前記しきい値よりも大きい場合、前記第２のスケーリング・ファクタを、前記第１のスケーリング・ファクタとは異なる調節されたスケーリング・ファクタに設定することと、
スケールされた第２のシンボルを取得するために、前記第２のスケーリング・ファクタまで第２のシンボルを電力スケールすることと、
前記第１のシンボルと前記第２のシンボルとの電力スケールがなされた後に、前記スケールされた第１のシンボルおよび前記スケールされた第２のシンボルを、オーバラップおよび追加処理によって結合して、結合信号とすることと、
前記結合信号を、アナログ波形に変換することと、
電力増幅器の利得を、第１の電力増幅値に設定し、前記アナログ波形の増幅された第１の部分を取得するために、前記利得が第１の電力増幅値に設定された場合、前記スケールされた第１のシンボルに対応する前記アナログ波形の一部を、前記電力増幅器を用いて増幅することと、
前記電力増幅器の利得を、第２の電力増幅値に設定し、前記アナログ波形の増幅された第２の部分を取得するために、前記利得が第２の電力増幅値に設定された場合、前記スケールされた第２のシンボルに対応する前記アナログ波形の一部を、前記電力増幅器を用いて増幅することと、
前記増幅された第１の部分および第２の部分を送信することと
からなる各ステップを備え、
前記送信するステップによって、前記増幅された第１の部分が、第１の電力レベルで送信され、前記増幅された第２の部分が、第２の電力レベルで送信されるようになり、
前記第１のスケーリング・ファクタと、前記調節されたスケーリング・ファクタと、前記第１および前記第２の電力増幅値は、前記第１の電力レベルから前記第２の電力レベルへの変化が、前記電力レベル調節値に相当するように選択され、
前記第１の電力増幅値と前記第２の電力増幅値との差が、予め定めた電力増幅差分値を超えない無線通信方法。
［発明１２］
前記予め定めた電力増幅差分値は、前記しきい値に相当する発明１１に記載の無線通信方法。
［発明１３］
前記処理は無線モバイル端末において実行され、前記送信するステップは、前記増幅された第２の部分が前記増幅された第１の部分の後に送信され、前記増幅された第１の部分と前記増幅された第２の部分との間で他のシンボルの一部も送信されないように実行される発明１２に記載の無線通信方法。
［発明１４］
前記無線モバイル端末およびネットワークは、周波数分割デュプレクス（ＦＤＤ）通信プロトコルを用いて通信する発明１３に記載の無線通信方法。
［発明１５］
前記無線モバイル端末およびネットワークは、直交周波数分割多重化（ＯＦＤＭ）、直交周波数分割多元接続（ＯＦＤＭＡ）、シングル・キャリア周波数分割多重化（ＳＣ−ＦＤＭ）、あるいはシングル・キャリア周波数分割多元接続（ＳＣ−ＦＤＭＡ）通信プロトコルを用いて通信する発明１４に記載の無線通信方法。
［発明１６］
前記第１のシンボルは第１のフレームの一部であり、前記第２のシンボルは第２のフレームの一部であり、前記第２のフレームは前記第１のフレームとは異なる発明１５に記載の無線通信方法。
［発明１７］
前記ネットワークから受信したコマンドから、前記電力レベル調節値を導出することをさらに備える発明１５に記載の無線通信方法。
［発明１８］
前記比較するステップの前に、前記電力レベル調節値を決定するために、前記ネットワークから送信されたパイロット信号を分析することをさらに備える発明１５に記載の無線通信方法。
［発明１９］
無線デバイスであって、
少なくとも１つの受信機と、
少なくとも１つの送信機と、
前記少なくとも１つの受信機と前記少なくとも１つの送信機とに接続された少なくとも１つのコントローラとを備え、
前記少なくとも１つのコントローラは、
スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールすることと、
前記電力スケールした後に、前記スケールされた第１のシンボルと、前記スケールされた第２のシンボルとを、オーバラップおよび追加処理によって結合して、結合信号とすることと、
少なくとも１つの電力制御イベントに応じて、前記第１のスケーリング・ファクタおよび前記第２のスケーリング・ファクタのうちの少なくとも１つを調節することと、
前記第１のシンボルに対応する処理された第１のシンボルと、前記第２のシンボルに対応する処理された第２のシンボルとを有する処理された波形を取得するために、前記結合信号を処理することと、
前記処理された波形を送信することと、
からなる各ステップを実行するように構成された無線デバイス。
［発明２０］
前記少なくとも１つのコントローラはさらに、前記処理するステップが、前記結合信号を電力増幅することを備えるように構成された発明１９に記載の無線デバイス。
［発明２１］
前記少なくとも１つのコントローラはさらに、前記第２のシンボルは、時間において、前記第１のシンボルの後であり、前記処理された第１のシンボルと前記処理された第２のシンボルとの間では、前記無線デバイスによって、他のシンボルは送信されず、前記第１のスケーリング・ファクタと前記第２のスケーリング・ファクタとのうちの少なくとも１つは、前記第２のスケーリング・ファクタであるように構成され、
前記無線デバイスはさらに、前記無線デバイスから送信される電力の調節値を指定する電力制御コマンドをネットワークから受信することを備える発明２０に記載の無線デバイス。
［発明２２］
前記調節値を、予め定めたしきい値と比較するステップをさらに備え、
前記調節するステップは、前記調節値が、前記予め定めたしきい値との予め定めた関係を有することに応じて実行され、前記予め定めた関係は、大きい、未満、以上、および以下からなるセットから選択される発明２１に記載の無線デバイス。
［発明２３］
前記少なくとも１つのコントローラは、周波数分割デュプレクス（ＦＤＤ）通信プロトコルを用いて前記ネットワークと通信するように構成された発明２２に記載の無線デバイス。
［発明２４］
前記少なくとも１つのコントローラは、直交周波数分割多重化（ＯＦＤＭ）、直交周波数分割多元接続（ＯＦＤＭＡ）、シングル・キャリア周波数分割多重化（ＳＣ−ＦＤＭ）、あるいはシングル・キャリア周波数分割多元接続（ＳＣ−ＦＤＭＡ）通信プロトコルを用いて通信するように構成された発明２２に記載の無線デバイス。
［発明２５］
前記少なくとも１つのコントローラはさらに、前記第２のシンボルは、時間において、前記第１のシンボルの後であり、前記処理された第１のシンボルと前記処理された第２のシンボルとの間では、前記無線デバイスによって、他のシンボルは送信されず、前記第１のスケーリング・ファクタと前記第２のスケーリング・ファクタとのうちの少なくとも１つは、前記第２のスケーリング・ファクタであるように構成され、
前記無線デバイスはさらに、前記無線デバイスから送信される電力の調節値を決定するために、ネットワークから送信されたパイロット信号を分析することを備える発明２０に記載の無線デバイス。
［発明２６］
前記調節値を、予め定めたしきい値と比較するステップをさらに備え、
前記少なくとも１つのコントローラはさらに、前記調節値が前記予め定めたしきい値との予め定めた関係を有することに応じて前記調節するステップが実行され、前記予め定めた関係は、大きい、未満、以上、および以下からなるセットから選択されるように構成された発明２５に記載の無線デバイス。
［発明２７］
前記少なくとも１つのコントローラは、周波数分割デュプレクス（ＦＤＤ）通信プロトコルを用いて前記ネットワークと通信するように構成された発明２６に記載の無線デバイス。
［発明２８］
前記少なくとも１つのコントローラはさらに、前記第１のシンボルは第１のフレームの一部であり、前記第２のシンボルは第２のフレームの一部であり、前記第２のフレームは前記第１のフレームとは異なるように構成された発明２０に記載の無線デバイス。
［発明２９］
無線デバイスであって、
少なくとも１つの受信機と、
少なくとも１つの送信機と、
前記少なくとも１つの受信機と前記少なくとも１つの送信機とに接続された少なくとも１つのコントローラとを備え、
前記少なくとも１つのコントローラは、
電力レベル調節値を、しきい値と比較することと、
スケールされた第１のシンボルを取得するために、第１のスケーリング・ファクタまで第１のシンボルを電力スケールすることと、
前記電力レベル調節値が前記しきい値よりも大きくない場合、第２のスケーリング・ファクタを前記第１のスケーリング・ファクタに等しく設定し、前記電力レベル調節値が前記しきい値よりも大きい場合、前記第２のスケーリング・ファクタを、前記第１のスケーリング・ファクタとは異なる調節されたスケーリング・ファクタに設定することと、
スケールされた第２のシンボルを取得するために、前記第２のスケーリング・ファクタまで第２のシンボルを電力スケールすることと、
前記第１のシンボルと前記第２のシンボルとの電力スケールがなされた後に、前記スケールされた第１のシンボルおよび前記スケールされた第２のシンボルを、オーバラップおよび追加処理によって結合して、結合信号とすることと、
前記結合信号を、アナログ波形に変換することと、
電力増幅器の利得を、第１の電力増幅値に設定し、前記アナログ波形の増幅された第１の部分を取得するために、前記利得が第１の電力増幅値に設定された場合、前記スケールされた第１のシンボルに対応する前記アナログ波形の一部を、前記電力増幅器を用いて増幅することと、
前記電力増幅器の利得を、第２の電力増幅値に設定し、前記アナログ波形の増幅された第２の部分を取得するために、前記利得が第２の電力増幅値に設定された場合、前記スケールされた第２のシンボルに対応する前記アナログ波形の一部を、前記電力増幅器を用いて増幅することと、
前記増幅された第１の部分および第２の部分を送信することと、
からなる各ステップを実行するように構成され、
前記送信するステップによって、前記増幅された第１の部分が、第１の電力レベルで送信され、前記増幅された第２の部分が、第２の電力レベルで送信されるようになり、
前記第１のスケーリング・ファクタと、前記調節されたスケーリング・ファクタと、前記第１および前記第２の電力増幅値は、前記第１の電力レベルから前記第２の電力レベルへの変化が、前記電力レベル調節値に相当するように選択され、
前記第１の電力増幅値と前記第２の電力増幅値との差が、予め定めた電力増幅差分値を超えない無線デバイス。
［発明３０］
前記少なくとも１つのコントローラはさらに、前記予め定めた電力増幅差分値が、前記しきい値に相当するように構成された発明２９に記載の無線デバイス。
［発明３１］
前記送信するステップは、前記増幅された第２の部分が前記増幅された第１の部分の後に送信され、前記増幅された第１の部分と前記増幅された第２の部分との間で他のシンボルの一部も送信されないように実行される発明３０に記載の無線デバイス。
［発明３２］
前記少なくとも１つのコントローラは、周波数分割デュプレクス（ＦＤＤ）通信プロトコルを用いて前記ネットワークと通信するように構成された発明３１に記載の無線デバイス。
［発明３３］
前記少なくとも１つのコントローラは、直交周波数分割多重化（ＯＦＤＭ）、直交周波数分割多元接続（ＯＦＤＭＡ）、シングル・キャリア周波数分割多重化（ＳＣ−ＦＤＭ）、あるいはシングル・キャリア周波数分割多元接続（ＳＣ−ＦＤＭＡ）通信プロトコルを用いて前記ネットワークと通信するように構成された発明３２に記載の無線デバイス。
［発明３４］
前記少なくとも１つのコントローラはさらに、前記第１のシンボルが第１のフレームの一部であり、前記第２のシンボルが第２のフレームの一部であり、前記第２のフレームが前記第１のフレームとは異なるように構成された発明３３に記載の無線デバイス。
［発明３５］
前記ネットワークから受信したコマンドから、前記電力レベル調節値を導出するステップをさらに備える発明３３に記載の無線デバイス。
［発明３６］
前記比較するステップの前に、前記電力レベル調節値を決定するために、前記ネットワークから送信されたパイロット信号を分析するステップをさらに備える発明３３に記載の無線デバイス。
［発明３７］
コンピュータ読取可能媒体を備えるコンピュータ・プログラム製品であって、
前記コンピュータ読取可能媒体は、コンピュータに対して無線通信させるためのコードを備え、前記コードは、
スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールすることと、
前記電力スケールした後に、前記スケールされた第１のシンボルと、前記スケールされた第２のシンボルとを、オーバラップおよび追加処理によって結合して、結合信号とすることと、
少なくとも１つの電力制御イベントに応じて、前記第１のスケーリング・ファクタおよび前記第２のスケーリング・ファクタのうちの少なくとも１つを調節することと、
前記第１のシンボルに対応する処理された第１のシンボルと、前記第２のシンボルに対応する処理された第２のシンボルとを有する処理された波形を取得するために、前記結合信号を処理することと、
処理された波形を送信することと
を備えるコンピュータ・プログラム製品。
［発明３８］
コンピュータ読取可能媒体を備えるコンピュータ・プログラム製品であって、
前記コンピュータ読取可能媒体は、コンピュータに対して無線通信させるためのコードを備え、前記コードは、
電力レベル調節値を、しきい値と比較することと、
スケールされた第１のシンボルを取得するために、第１のスケーリング・ファクタまで第１のシンボルを電力スケールすることと、
前記電力レベル調節値が前記しきい値よりも大きくない場合、第２のスケーリング・ファクタを前記第１のスケーリング・ファクタに等しく設定し、前記電力レベル調節値が前記しきい値よりも大きい場合、前記第２のスケーリング・ファクタを、前記第１のスケーリング・ファクタとは異なる調節されたスケーリング・ファクタに設定することと、
スケールされた第２のシンボルを取得するために、前記第２のスケーリング・ファクタまで第２のシンボルを電力スケールすることと、
前記第１のシンボルと前記第２のシンボルとの電力スケールがなされた後に、前記スケールされた第１のシンボルおよび前記スケールされた第２のシンボルを、オーバラップおよび追加処理によって結合して、結合信号とすることと、
前記結合信号を、アナログ波形に変換することと、
電力増幅器の利得を、第１の電力増幅値に設定し、前記アナログ波形の増幅された第１の部分を取得するために、前記利得が第１の電力増幅値に設定された場合、前記スケールされた第１のシンボルに対応する前記アナログ波形の一部を、前記電力増幅器を用いて増幅することと、
前記電力増幅器の利得を、第２の電力増幅値に設定し、前記アナログ波形の増幅された第２の部分を取得するために、前記利得が第２の電力増幅値に設定された場合、前記スケールされた第２のシンボルに対応する前記アナログ波形の一部を、前記電力増幅器を用いて増幅することと、
前記増幅された第１の部分および第２の部分を送信することとを備え、
前記送信するステップによって、前記増幅された第１の部分が、第１の電力レベルで送信され、前記増幅された第２の部分が、第２の電力レベルで送信されるようになり、
前記第１のスケーリング・ファクタと、前記調節されたスケーリング・ファクタと、前記第１および前記第２の電力増幅値は、前記第１の電力レベルから前記第２の電力レベルへの変化が、前記電力レベル調節値に相当するように選択され、
前記第１の電力増幅値と前記第２の電力増幅値との差が、予め定めた電力増幅差分値を超えないコンピュータ・プログラム製品。
［発明３９］
無線デバイスであって、
スケールされた第１のシンボルを取得するために、第１のスケーリング・ファクタまで第１のシンボルを、および、スケールされた第２のシンボルを取得するために、第２のスケーリング・ファクタまで第２のシンボルを、電力スケールする手段と、
前記電力スケールした後に、前記スケールされた第１のシンボルと、前記スケールされた第２のシンボルとを、オーバラップおよび追加処理によって結合して、結合信号とする手段と、
少なくとも１つの電力制御イベントに応じて、前記第１のスケーリング・ファクタおよび前記第２のスケーリング・ファクタのうちの少なくとも１つを調節する手段と、
前記第１のシンボルに対応する処理された第１のシンボルと、前記第２のシンボルに対応する処理された第２のシンボルとを有する処理された波形を取得するために、前記結合信号を処理する手段と、
前記処理された波形を送信する手段と
を備える無線デバイス。
［発明４０］
無線デバイスであって、
電力レベル調節値を、しきい値と比較する手段と、
スケールされた第１のシンボルを取得するために、第１のスケーリング・ファクタまで第１のシンボルを電力スケールする手段と、
前記電力レベル調節値が前記しきい値よりも大きくない場合、第２のスケーリング・ファクタを前記第１のスケーリング・ファクタに設定し、前記電力レベル調節値が前記しきい値よりも大きい場合、前記第２のスケーリング・ファクタを、前記第１のスケーリング・ファクタとは異なる調節されたスケーリング・ファクタに設定する手段と、
スケールされた第２のシンボルを取得するために、前記第２のスケーリング・ファクタまで第２のシンボルを電力スケールする手段と、
前記第１のシンボルと前記第２のシンボルとの電力スケールがなされた後に、前記スケールされた第１のシンボルおよび前記スケールされた第２のシンボルを、オーバラップおよび追加処理によって結合して、結合信号とする手段と、
前記結合信号を、アナログ波形に変換する手段と、
電力増幅器の利得を、第１の電力増幅値に設定し、前記アナログ波形の増幅された第１の部分を取得するために、前記利得が第１の電力増幅値に設定された場合、前記スケールされた第１のシンボルに対応する前記アナログ波形の一部を、前記電力増幅器を用いて増幅する手段と、
前記電力増幅器の利得を、第２の電力増幅値に設定し、前記アナログ波形の増幅された第２の部分を取得するために、前記利得が第２の電力増幅値に設定された場合、前記スケールされた第２のシンボルに対応する前記アナログ波形の一部を、前記電力増幅器を用いて増幅する手段と、
前記増幅された第１の部分および第２の部分を送信する手段とを備え、
前記送信するステップによって、前記増幅された第１の部分が、第１の電力レベルで送信され、前記増幅された第２の部分が、第２の電力レベルで送信されるようになり、
前記第１のスケーリング・ファクタと、前記調節されたスケーリング・ファクタと、前記第１および前記第２の電力増幅値は、前記第１の電力レベルから前記第２の電力レベルへの変化が、前記電力レベル調節値に相当するように選択され、
前記第１の電力増幅値と前記第２の電力増幅値との差が、予め定めた電力増幅差分値を超えない無線デバイス。
【図１】
0005579697.tif 000002
【図２】
0005579697.tif 000003
【図３Ａ】
0005579697.tif 000004
【図３Ｂ】
0005579697.tif 000005
【図３Ｃ】
0005579697.tif 000006
【図４Ａ】
0005579697.tif 000007
【図４Ｂ】
0005579697.tif 000008
【図４Ｃ】
0005579697.tif 000009
【図５】
0005579697.tif 000010
【図６】
0005579697.tif 000011
【図７】
0005579697.tif 000012